(57)【要約】【課題】文書データによって構成される文書画像を表示部に表示し、当該表示結果を利用して、発表者が聴講者に対してプレゼンテーションを行うシステムにおいて、表示部に表示される前記文書画像の表示内容における、聴講者の聴講位置から見て読み難い部分の表示状態を修正するのに好適なプレゼンテーション支援装置及び表示装置を提供する。【解決手段】プレゼンテーションシステム１００を、プレゼンテーションを行う会場となる建物１と、聴講者席２と、文書データによって構成される文書画像をスクリーン４に投射すると共に、前記会場における環境情報を取得し、当該環境情報に基づき投射結果の文書画像に聴講者席２から見て読み難い部分があるか否かを判定し、あると判定された場合に文書データを加工して当該読み難い部分を修正した修正文書データを生成するプロジェクタ３とを含んだ構成となっている。【選択図】      図１
2006106459.tif 000002
【特許請求の範囲】
【請求項１】
文書データによって構成される文書画像を表示し、当該表示結果を利用して発表者が聴講者に対して行うプレゼンテーションを支援するプレゼンテーション支援装置であって、
前記プレゼンテーションの実施環境において、当該実施環境に係る環境情報を取得する環境情報取得手段と、
前記文書データと前記環境情報取得手段によって取得された前記環境情報とに基づき、当該文書データによって構成される文書画像の表示内容に読み難い部分があるか否かを判定する表示状態判定手段と、
前記表示状態判定手段によって前記表示内容に読み難い部分があると判定された場合に、前記文書データにおける読み難い部分のデータと前記環境情報とに基づき、前記文書データを修正した文書データである修正文書データを生成する修正文書データ生成手段と、
前記修正文書データを記憶する修正文書データ記憶手段と、を備えることを特徴とするプレゼンテーション支援装置。
【請求項２】
文書データによって構成される文書画像を表示部に表示し、当該表示結果を利用して発表者が聴講者に対して行うプレゼンテーションを支援するプレゼンテーション支援装置であって、
前記文書画像の表示内容に読み難い部分があるか否かを判定するのに使用する判定用情報を記憶する判定用情報記憶手段と、
前記文書データを取得する文書データ取得手段と、
前記プレゼンテーションの実施環境において、前記環境情報を取得する環境情報取得手段と、
前記文書データ取得手段によって取得された前記文書データと、前記環境情報取得手段によって取得された前記環境情報と、前記判定用情報記憶手段に記憶された前記判定用情報とに基づき、当該文書データによって構成される文書画像の表示内容に読み難い部分があるか否かを判定する表示状態判定手段と、
前記表示状態判定手段によって前記表示内容に読み難い部分があると判定された場合に、前記文書データにおける前記読み難い部分のデータと前記環境情報と前記判定用情報とに基づき、前記文書データを修正した文書データである修正文書データを生成する修正文書データ生成手段と、
前記修正文書データを記憶する修正文書データ記憶手段と、を備えることを特徴とするプレゼンテーション支援装置。
【請求項３】
前記環境情報は、前記表示部から前記聴講者の聴講位置までの距離の情報及び前記表示部における前記文書画像の表示サイズの情報の組み合わせと、前記プレゼンテーションの実施場所の規模の情報及び前記表示部における前記文書画像の表示サイズの情報の組み合わせとのうち、少なくとも一方の組み合わせを含むことを特徴とする請求項２記載のプレゼンテーション支援装置。
【請求項４】
前記環境情報取得手段は、前記表示部から前記聴講者の聴講位置までの距離を測定可能な距離測定部と、前記表示部における前記文書画像の表示サイズを測定する表示サイズ測定部とを含む構成となっていることを特徴とする請求項３記載のプレゼンテーション支援装置。
【請求項５】
前記判定用情報は、前記表示部から前記聴講者の聴講位置までの距離と、前記文書画像に含まれる文字画像の線の太さの適正値との関係を示す情報、前記表示部から前記聴講者の聴講位置までの距離と、前記文書画像に含まれる文字画像のデザインの適正種類との関係を示す情報及び前記表示部から前記聴講者の聴講位置までの距離と、前記文書画像に含まれる文字画像の色とその背景色との適正な組み合わせとの関係を示す情報のうち、少なくとも１つを含むことを特徴とする請求項３又は請求項４記載のプレゼンテーション支援装置。
【請求項６】
前記判定用情報は、前記表示部に表示される文字画像のサイズと、前記表示部に表示された文字画像に対する前記聴講者の適正視角との関係を示す情報を含むことを特徴とする請求項２乃至請求項５のいずれか１項に記載のプレゼンテーション支援装置。
【請求項７】
前記環境情報取得手段は、前記環境情報として、前記表示部に表示された前記文書画像に含まれる、文字画像の線の太さ、文字画像のデザインの種類及び文字画像の色とその背景色との組み合わせの情報のうち、少なくとも１つを取得するようになっており、
前記表示状態判定手段は、前記環境情報取得手段によって取得された前記環境情報に基づき、前記判定用情報を補正すると共に、当該補正された判定用情報に基づき、前記文書データによって構成される文書画像の表示内容に読み難い部分があるか否かを判定することを特徴とする請求項５又は請求項６記載のプレゼンテーション支援装置。
【請求項８】
前記修正文書データ生成手段は、自己において生成した文書データによって構成される文書画像が、修正前とは異なり、前記表示部に一度に表示しきれないものとなった場合に、当該文書データを更に修正して、当該文書画像の表示内容を前記表示部に一度に表示できる単位に分割すると共に、当該分割した表示内容を前記表示部に切替表示可能な文書データを生成することを特徴とする請求項２乃至請求項７のいずれか１項に記載のプレゼンテーション支援装置。
【請求項９】
請求項１乃至請求項７のいずれか１項に記載のプレゼンテーション支援装置と、
前記文書データによって構成される文書画像を前記表示部に表示する表示手段と、を備えることを特徴とする表示装置。
【請求項１０】
請求項８記載のプレゼンテーション支援装置と、
前記文書データによって構成される文書画像を前記表示部に表示する表示手段と、
前記分割修正文書データ生成手段によって生成された、前記切替表示可能な文書データによって構成される文書画像の表示内容を、利用者からの指示に応じて切替表示可能な切替表示手段と、を備えることを特徴とする表示装置。
【請求項１１】
文書データによって構成される文書画像を表示し、当該表示結果を利用して発表者が聴講者に対して行うプレゼンテーションを支援するのに使用するプレゼンテーション支援プログラムであって、
前記プレゼンテーションの実施環境において、当該実施環境に係る環境情報を取得する環境情報取得ステップと、
前記文書データと前記環境情報取得ステップにおいて取得された前記環境情報とに基づき、当該文書データによって構成される文書画像の表示内容に読み難い部分があるか否かを判定する表示状態判定ステップと、
前記表示状態判定ステップにおいて前記表示内容に読み難い部分があると判定された場合に、前記文書データにおける読み難い部分のデータと前記環境情報とに基づき、前記文書データを修正した文書データである修正文書データを生成する修正文書データ生成ステップと、
前記修正文書データを修正文書データ記憶手段に記憶する修正文書データ記憶ステップとからなる処理をコンピュータに実行させるのに使用するプログラムを含むことを特徴とするプレゼンテーション支援プログラム。
【請求項１２】
文書データによって構成される文書画像を表示部に表示し、当該表示結果を利用して発表者が聴講者に対して行うプレゼンテーションを支援するのに使用するプレゼンテーション支援プログラムであって、
前記文書データを取得する文書データ取得ステップと、
前記プレゼンテーションの実施環境において、前記環境情報を取得する環境情報取得ステップと、
前記文書データ取得ステップにおいて取得された前記文書データと、前記環境情報取得ステップにおいて取得された前記環境情報と、前記文書画像の表示内容に読み難い部分があるか否かを判定するための判定用情報の記憶された判定用情報記憶手段の記憶内容とに基づき、当該文書データによって構成される文書画像の表示内容に読み難い部分があるか否かを判定する表示状態判定ステップと、
前記表示状態判定ステップにおいて前記表示内容に読み難い部分があると判定された場合に、前記文書データにおける前記読み難い部分のデータと前記環境情報と前記判定用情報とに基づき、前記文書データを修正した文書データである修正文書データを生成する修正文書データ生成ステップと、
前記修正文書データを修正文書データ記憶手段に記憶する修正文書データ記憶ステップとからなる処理をコンピュータに実行させるのに使用するプログラムを含むことを特徴とするプレゼンテーション支援プログラム。
【請求項１３】
請求項９記載の表示装置を制御するのに使用する表示装置制御プログラムであって、
請求項１２記載のプレゼンテーション支援プログラムを含み、
更に、前記文書データを前記表示部に表示する表示ステップをコンピュータに実行させるのに使用するプログラムを含むことを特徴とする表示装置制御プログラム。
【請求項１４】
請求項１０記載の表示装置を制御するのに使用する表示装置制御プログラムであって、
請求項１２記載のプレゼンテーション支援プログラムを含み、
前記修正文書データ生成ステップにおいては、自ステップにおいて生成した文書データによって構成される文書画像が、修正前とは異なり、前記表示部に一度に表示しきれないものとなった場合に、当該文書データを更に修正して、当該文書画像の表示内容を前記表示部に一度に表示できる単位に分割すると共に、当該分割した表示内容を前記表示部に切替表示可能な文書データを生成し、
前記分割修正文書データ生成ステップにおいて生成された、前記切替表示可能な文書データによって構成される文書画像の表示内容を、利用者からの指示に応じて切替表示する切替表示ステップと、
前記文書データによって構成される文書画像を前記表示部に表示する表示ステップとからなる処理をコンピュータに実行させるのに使用するプログラムを更に含むことを特徴とする表示装置制御プログラム。
【請求項１５】
文書データによって構成される文書画像を表示し、当該表示結果を利用して発表者が聴講者に対して行うプレゼンテーションを支援するのに使用するプレゼンテーション支援方法であって、
前記プレゼンテーションの実施環境において、当該実施環境に係る環境情報を取得する環境情報取得ステップと、
前記文書データと前記環境情報取得ステップにおいて取得された前記環境情報とに基づき、当該文書データによって構成される文書画像の表示内容に読み難い部分があるか否かを判定する表示状態判定ステップと、
前記表示状態判定ステップにおいて前記表示内容に読み難い部分があると判定された場合に、前記文書データにおける読み難い部分のデータと前記環境情報とに基づき、前記文書データを修正した文書データである修正文書データを生成する修正文書データ生成ステップと、を含むことを特徴とするプレゼンテーション支援方法。
【請求項１６】
文書データによって構成される文書画像を表示部に表示し、当該表示結果を利用して発表者が聴講者に対して行うプレゼンテーションを支援するのに使用するプレゼンテーション支援方法であって、
前記文書データを取得する文書データ取得ステップと、
前記プレゼンテーションの実施環境において、前記環境情報を取得する環境情報取得ステップと、
前記文書データ取得ステップにおいて取得された前記文書データと、前記環境情報取得ステップにおいて取得された前記環境情報と、前記文書画像の表示内容に読み難い部分があるか否かを判定するための判定用情報の記憶された判定用情報記憶手段の記憶内容とに基づき、当該文書データによって構成される文書画像の表示内容に読み難い部分があるか否かを判定する表示状態判定ステップと、
前記表示状態判定ステップにおいて前記表示内容に読み難い部分があると判定された場合に、前記文書データにおける前記読み難い部分のデータと前記環境情報と前記判定用情報とに基づき、前記文書データを修正した文書データである修正文書データを生成する修正文書データ生成ステップと、を含むことを特徴とするプレゼンテーション支援方法。
【請求項１７】
請求項９記載の表示装置を制御するのに使用する表示装置制御方法であって、
請求項１６記載のプレゼンテーション支援方法において、
前記文書データを前記表示部に表示する表示ステップを更に含むことを特徴とする表示装置制御方法。
【請求項１８】
請求項１０記載の表示装置を制御するのに使用する表示装置制御方法であって、
請求項１６記載のプレゼンテーション支援方法において、
前記修正文書データ生成ステップにおいては、自ステップにおいて生成した文書データによって構成される文書画像が、修正前とは異なり、前記表示部に一度に表示しきれないものとなった場合に、当該文書データを更に修正して、当該文書画像の表示内容を前記表示部に一度に表示できる単位に分割すると共に、当該分割した表示内容を前記表示部に切替表示可能な文書データを生成し、
前記分割修正文書データ生成ステップにおいて生成された、前記切替表示可能な文書データによって構成される文書画像の表示内容を、利用者からの指示に応じて切替表示する切替表示ステップと、
前記文書データによって構成される文書画像を前記表示部に表示する表示ステップと、を更に含むことを特徴とする表示装置制御方法。
【発明の詳細な説明】
【技術分野】
【０００１】
本発明は、文書データによって構成される文書画像を表示部に表示し、当該表示結果を利用して、発表者が聴講者に対してプレゼンテーションを行うシステムに係り、特に、表示部に表示される前記文書画像の表示内容における、聴講者の聴講位置から見て読み難い部分の表示状態を修正するのに好適なプレゼンテーション支援装置、表示装置、プレゼンテーション支援プログラム、表示装置制御プログラム、プレゼンテーション支援方法及び表示装置制御方法に関する。
【背景技術】
【０００２】
従来、データプロジェクタ等の光投射型表示装置を用いて、新製品の画像や新規プロジェクトのスケジュール表などをスクリーン上に光投射表示して、その表示された画像を聴講者に見せながらプレゼンテーションを行うシステムがある。このようなシステムにおいては、発表者は、文書エディタ等のアプリケーションソフトを用いて、画像や文章等のレイアウトされた文書データを作成することになる。作成された文書データは、発表者が光投射型表示装置に接続されたＰＣ等を操作して文書データに応じたアプリケーションソフトを起動操作することにより、スクリーン上に文書データに応じた画像が光投射表示される。発表者は、このようにして光投射表示された画像をマウスカーソルやレーザポインタ等で指し示しながら聴講者に対してプレゼンテーションを進行することになる。しかしながら、プレゼンテーションに用いる文書データは、通常、プレゼンテーションを行う環境を考慮して作成されるわけではないので、スクリーンと聴講者席との距離、スクリーンサイズ、会場の明るさなど、プレゼンテーションを行う環境によっては、スクリーン上に表示される文書画像が聴講者にとって見難いものとなる恐れがある。
【０００３】
このような、従来の課題を解決するための技術として、特許文献１に記載の読み易さ評価装置及びプログラム、特許文献２に記載の表示装置および方法、特許文献３に記載の簡易画面サイズ調整プロジェクタなどがある。
特許文献１の読み易さ評価装置は、スライド画面の作成時とプレゼンテーション時の様々な状況の違いを考慮しつつ、スライド画面の作成時に文字の読み易さを客観的に評価するもので、まず、マイクロコンピュータは、サンプル画像をプロジェクタの特性に対応するように変換する。そして、サンプル画像からＣＩＥＬＡＢ表色系による文字の色（Ｌ0，ａ0，ｂ0）と背景の色（Ｌ1，ａ1，ｂ1）を抽出して、色差Ｄを求め、この色差Ｄと、分解能特性データと、に基づいて分解能［ｄｅｇ］を決定する。そして、評点テーブルを参照して、サンプル画像の文字サイズと、決定された分解能と、に基づいて評点を決定する。
【０００４】
これにより、実際にプレゼンテーションを行う時に、表示画面のサイズを変更したり、表示対象の文書のレイアウトを修正することで、常に最適な読み易いプレゼンテーションを実現できる。
また、特許文献２の表示装置は、部屋の大きさや人数等を考慮し、表示装置(OHP等のプロジェクタ)の拡大・縮小倍率を決定するもので、原稿台に載置された原稿に光を照射してスクリーンに投影する表示装置であって、投影環境に関する環境パラメータを入力するパラメータ入力部と、環境パラメータとパラメータ倍率との対応を規定した倍率テーブルを記憶する記憶部と、入力された環境パラメータに基づいて、記憶部に記憶された倍率テーブルからパラメータ倍率を選択し、選択したパラメータ倍率に基づいて原稿台の位置を決定する処理部と、原稿台を、処理部に決定された位置に移動する駆動部とを備えている。
【０００５】
また、特許文献３の簡易画面サイズ調整プロジェクタは、スクリーンから任意の距離に設置したプロジェクタの表示画面サイズを、表示画面のメニューを選択するだけで簡便に設定出来るプロジェクタであり、投射スクリーンサイズを入力するスクリーンサイズ入力部と、プロジェクタとスクリーンまでの距離を検出する手段と、データメモリと、データメモリに記憶されたスクリーンまでの距離とスクリーンサイズよりズームレンズのズーム比率を演算するズーム比率演算器と、ズームレンズを駆動するズーム駆動モータと、ズーム制御部と、ズーム駆動部と、ズームレンズの機械的ズーム比率を検出するズーム比率検出手段と、ズーム比率検出手段により検出したズーム比率とズーム比率演算器が演算出力したズーム比率とを比較してその差異を演算出力する比較器とで構成される。
【特許文献１】特開２００３−４４８４９号公報
【特許文献２】特開２００２−９９０４５号公報
【特許文献３】特開平１１−９５３２４号公報
【発明の開示】
【発明が解決しようとする課題】
【０００６】
しかしながら、上記特許文献１の読み易さ評価装置においては、実際のプレゼンテーション時の条件を前もって入力し、読み易さの評価をすることで、読み易いプレゼンテーション文書を作成することで対応しているが、実際のプレゼンテーション時の条件を前もって知ることが出来ない場合は評価も出来ない。また、複数回のプレゼンテーションを複数の状況下で行う場合などはそれぞれの状況に合わせた文書を用意することになってしまう。
【０００７】
また、上記特許文献２の表示装置及び上記特許文献３の簡易画面サイズ調整プロジェクタにおいては、実際のスクリーンの大きさや、プロジェクタの設置場所、選択できる拡大倍率には制限があるので表示サイズを調整するだけで全てに対応することはむずかしい。
そこで、本発明は、このような従来の技術の有する未解決の課題に着目してなされたものであって、文書データによって構成される文書画像を表示部に表示し、当該表示結果を利用して、発表者が聴講者に対してプレゼンテーションを行うシステムにおいて、表示部に表示される前記文書画像の表示内容における、聴講者の聴講位置から見て読み難い部分の表示状態を修正するのに好適なプレゼンテーション支援装置、表示装置、プレゼンテーション支援プログラム、表示装置制御プログラム、プレゼンテーション支援方法及び表示装置制御方法を提供することを目的としている。
【課題を解決するための手段】
【０００８】
〔発明１〕  上記目的を達成するために、発明１のプレゼンテーション支援装置は、
文書データによって構成される文書画像を表示し、当該表示結果を利用して発表者が聴講者に対して行うプレゼンテーションを支援するプレゼンテーション支援装置であって、
前記プレゼンテーションの実施環境において、当該実施環境に係る環境情報を取得する環境情報取得手段と、
前記文書データと前記環境情報取得手段によって取得された前記環境情報とに基づき、当該文書データによって構成される文書画像の表示内容に読み難い部分があるか否かを判定する表示状態判定手段と、
前記表示状態判定手段によって前記表示内容に読み難い部分があると判定された場合に、前記文書データにおける読み難い部分のデータと前記環境情報とに基づき、前記文書データを修正した文書データである修正文書データを生成する修正文書データ生成手段と、
前記修正文書データを記憶する修正文書データ記憶手段と、を備えることを特徴としている。
【０００９】
このような構成であれば、表示状態判定手段により、文書データと、プレゼンテーションの実施環境に係る環境情報とに基づき、文書データによって構成される文書画像の表示内容に読み難い部分があるか否かが判定される。これにより、読み難い部分があると判定されると、修正文書データ生成手段により、文書データにおける読み難い部分のデータと環境情報とに基づき、文書データを修正した文書データである修正文書データが生成される。修正文書データが生成されると、当該修正文書データが修正文書データ記憶手段に記憶される。
【００１０】
従って、プレゼンテーションの実施環境において取得した環境情報に基づいて、表示部に表示される文書画像における表示内容に読み難い部分があるか否かを判定し、読み難い部分があると判定された場合には、文書データそのものを加工して読み難い部分を修正するようにしたので、これにより、従来に比して、実施環境に、より適合した表示内容の読み易い文書データの作成ができるという効果が得られる。
【００１１】
ここで、文書データは、文字情報、画像情報、文字や画像のパレット情報、文書や画像のレイアウト情報（レイアウトテンプレート情報）などから構成される。つまり、文書データとしては、ワープロソフト等で作成された文書データ等が含まれる。また、文書データの中には文字情報のみで構成されるものもある。以下、発明２のプレゼンテーション支援装置、発明１１及び１２のプレゼンテーション支援プログラム、並びに発明２１及び２２のプレゼンテーション支援方法において同じである。
【００１２】
また、聴講位置とは、プレゼンテーションを行う場所において、プレゼンテーションの聴講者が聴講を行う位置（座席等）のことである。以下、発明２のプレゼンテーション支援装置、発明１１及び１２のプレゼンテーション支援プログラム、並びに発明２１及び２２のプレゼンテーション支援方法において同じである。
また、表示内容が読み難いとは、表示部に表示された表示内容を聴講者が聴講者用の席などから見たときに、表示された文字画像が、その文字の内容を認識できない程小さなサイズであったり、表示された文字画像の色とその背景色とが文字画像の見難くなる組み合わせであったり、文字画像の線の太さ（ウェイト）が、文字の内容を認識出来ない程細い線又は太い線で構成されている場合であったりなど、聴講者が内容を理解出来ないような表示状態のことである。以下、発明２のプレゼンテーション支援装置、発明１１及び１２のプレゼンテーション支援プログラム、並びに発明２１及び２２のプレゼンテーション支援方法において同じである。
【００１３】
〔発明２〕  一方、上記目的を達成するために、発明２のプレゼンテーション支援装置は、
文書データによって構成される文書画像を表示部に表示し、当該表示結果を利用して発表者が聴講者に対して行うプレゼンテーションを支援するプレゼンテーション支援装置であって、
前記文書画像の表示内容に読み難い部分があるか否かを判定するのに使用する判定用情報を記憶する判定用情報記憶手段と、
前記文書データを取得する文書データ取得手段と、
前記プレゼンテーションの実施環境において、前記環境情報を取得する環境情報取得手段と、
前記文書データ取得手段によって取得された前記文書データと、前記環境情報取得手段によって取得された前記環境情報と、前記判定用情報記憶手段に記憶された前記判定用情報とに基づき、当該文書データによって構成される文書画像の表示内容に読み難い部分があるか否かを判定する表示状態判定手段と、
前記表示状態判定手段によって前記表示内容に読み難い部分があると判定された場合に、前記文書データにおける前記読み難い部分のデータと前記環境情報と前記判定用情報とに基づき、前記文書データを修正した文書データである修正文書データを生成する修正文書データ生成手段と、
前記修正文書データを記憶する修正文書データ記憶手段と、を備えることを特徴としている。
【００１４】
このような構成であれば、文書データ取得手段により、文書データが取得され、環境情報取得手段により、プレゼンテーションの実施環境において、前記環境情報が取得される。文書データ及び環境情報が取得されると、表示状態判定手段により、当該文書データと当該環境情報と判定用情報記憶手段に記憶された判定用情報とに基づき、文書データによって構成される文書画像の表示内容に読み難い部分があるか否かが判定される。表示状態判定手段によって表示内容に読み難い部分があると判定されると、修正文書データ生成手段により、文書データにおける読み難い部分のデータと環境情報と判定用情報とに基づき、文書データを修正した文書データである修正文書データが生成される。修正文書データが生成されると、当該修正文書データが修正文書データ記憶手段に記憶される。
【００１５】
従って、プレゼンテーションの実施環境において取得した環境情報に基づいて、表示部に表示される文書画像における表示内容に読み難い部分があるか否かを判定し、読み難い部分があると判定された場合には、文書データそのものを加工して読み難い部分を修正するようにしたので、これにより、従来に比して、実施環境に、より適合した表示内容の読み易い文書データの作成ができるという効果が得られる。
【００１６】
〔発明３〕  更に、発明３のプレゼンテーション支援装置は、発明２のプレゼンテーション支援装置において、
前記環境情報は、前記表示部から前記聴講者の聴講位置までの距離の情報及び前記表示部における前記文書画像の表示サイズの情報の組み合わせと、前記プレゼンテーションの実施場所の規模の情報及び前記表示部における前記文書画像の表示サイズの情報の組み合わせとのうち、少なくとも一方の組み合わせを含むことを特徴としている。
【００１７】
このような構成であれば、プレゼンテーションの実施環境において、文書画像を表示する表示部と、聴講者の聴講位置との距離の情報及び表示部における文書画像の表示サイズの情報の組み合わせと、プレゼンテーションの実施場所の規模の情報及び表示部における文書画像の表示サイズの情報の組み合わせとのうち、少なくとも一方を取得し、当該取得した情報に基づいて、表示内容に読み難い部分があるか否かを判定することが可能であり、これにより、上記組み合わせのうち少なくとも一方を考慮した表示内容の読み易い文書データの作成ができるという効果が得られる。
ここで、実施場所の規模の情報とは、例えば、プレゼンテーションの実施場所となる建物等の幅や高さ等の情報であり、表示部と聴講者の聴講位置との距離を近似することが可能な情報を含むものである。
【００１８】
〔発明４〕  更に、発明４のプレゼンテーション支援装置は、発明２又は３のプレゼンテーション支援装置において、
前記環境情報取得手段は、前記表示部から前記聴講者の聴講位置までの距離を測定可能な距離測定部と、前記表示部における前記文書画像の表示サイズを測定する表示サイズ測定部とを含む構成となっていることを特徴としている。
【００１９】
このような構成であれば、プレゼンテーション支援装置自体が、実環境において表示部から、聴講者の聴講位置までの距離と、表示部における文書画像の表示サイズとを測定することができるので、前記距離のデータや表示サイズのデータが予め用意されていないような場合でも、距離測定部によって距離を測定し、表示サイズ測定部によって表示サイズを測定し、これら測定結果に基づいて、実施環境により適合した読み易い文書データを生成することができるという効果が得られる。
【００２０】
〔発明５〕  更に、発明５のプレゼンテーション支援装置は、発明３又は４のプレゼンテーション支援装置において、
前記判定用情報は、前記表示部から前記聴講者の聴講位置までの距離と、前記文書画像に含まれる文字画像の線の太さの適正値との関係を示す情報、前記表示部から前記聴講者の聴講位置までの距離と、前記文書画像に含まれる文字画像のデザインの適正種類との関係を示す情報及び前記表示部から前記聴講者の聴講位置までの距離と、前記文書画像に含まれる文字画像の色とその背景色との適正な組み合わせとの関係を示す情報のうち、少なくとも１つを含むことを特徴としている。
【００２１】
このような構成であれば、表示部から、聴講者の聴講位置までの距離と、文字の太さの適正値との関係を示す情報、表示部から、聴講者の聴講位置までの距離と、文字の適正種類との関係を示す情報及び表示部から、聴講者の聴講位置までの距離と、文字色とその背景色との適正な組み合わせとの関係を示す情報のうち、少なくとも１つに基づいて、表示内容に読み難い部分があるか否かを判定することができるという効果が得られる。
【００２２】
〔発明６〕  更に、発明６のプレゼンテーション支援装置は、発明３乃至５のいずれか１のプレゼンテーション支援装置において、
前記判定用情報は、前記表示部に表示される文字のサイズと、前記表示部に表示された文字に対する前記聴講者の適正視角との関係を示す情報を含むことを特徴としている。
このような構成であれば、表示部に対する前記聴講者の視角に基づき、表示内容に読み難い部分があるか否かを判定することができるという効果が得られる。
【００２３】
〔発明７〕  更に、発明７のプレゼンテーション支援装置は、発明２乃至６のいずれか１のプレゼンテーション支援装置において、
前記環境情報取得手段は、前記環境情報として、前記表示部に表示された前記文書画像に含まれる、文字画像の線の太さ、文字画像のデザインの種類及び文字画像の色とその背景色との組み合わせの情報のうち、少なくとも１つを取得するようになっており、
前記表示状態判定手段は、前記環境情報取得手段によって取得された前記環境情報に基づき、前記判定用情報を補正すると共に、当該補正された判定用情報に基づき、前記文書データによって構成される文書画像の表示内容に読み難い部分があるか否かを判定することを特徴としている。
【００２４】
このような構成であれば、前記環境情報取得手段により、前記環境情報として、前記表示部に表示された前記文書画像に含まれる、文字画像の線の太さ、文字画像のデザインの種類及び文字画像の色とその背景色の情報のうち、少なくとも１つが取得され、
前記表示状態判定手段により、前記環境情報取得手段によって取得された前記環境情報に基づき、前記判定用情報を補正すると共に、当該補正された判定用情報に基づき、前記文書データによって構成される文書画像の表示内容に読み難い部分があるか否かが判定される。
【００２５】
従って、例えば、判定用情報として、視角の適正値を用いる場合に、この視角の適正値をそのまま使用せず、環境情報として取得される、文字画像の線の太さ、文字画像のデザインの種類及び文字画像の色とその背景色の情報などを用いて視角の適正値を補正して、当該補正された視角を用いて、表示内容に読み難い部分があるか否かを判定するので、文字画像の線の太さ、文字画像のデザインの種類及び文字画像の色とその背景色の情報などの環境情報が考慮された、実施環境に、より適合した判定処理を行うことができるという効果が得られる。
【００２６】
ここで、文字画像の種類の情報とは、明朝体、ゴシック体などの文字の形状の種類である。以下、発明１７のプレゼンテーション支援プログラム、及び発明２７のプレゼンテーション支援方法において同じである。
また、文字の太さとは、ある文字画像の種類において、その文字の形状を構成する線の太さのことである。以下、発明１７のプレゼンテーション支援プログラム、及び発明２７のプレゼンテーション支援方法において同じである。
【００２７】
〔発明８〕  更に、発明８のプレゼンテーション支援装置は、発明２乃至７のいずれか１のプレゼンテーション支援装置において、
前記修正文書データ生成手段は、自己において生成した文書データによって構成される文書画像が、修正前とは異なり、前記表示部に一度に表示しきれないものとなった場合に、当該文書データを更に修正して、当該文書画像の表示内容を前記表示部に一度に表示できる単位に分割すると共に、当該分割した表示内容を前記表示部に切替表示可能な文書データを生成することを特徴としている。
【００２８】
このような構成であれば、修正文書データ生成手段により、自己において生成した文書データによって構成される文書画像が、修正前とは異なり、前記表示部に一度に表示しきれないものとなった場合に、当該文書データを更に加工して、当該文書画像の表示内容が前記表示部に一度に表示できる単位に分割されると共に、当該分割した表示内容を前記表示部に切替表示可能な文書データが生成される。
従って、文書データを修正した結果、表示内容が一画面で表示しきれないような状態となった場合においても、修正後の文書データによって表示される文書画像が分割されて、切替表示できるので、修正によって表示内容が欠落するといった状況の発生を防ぐことができるという効果が得られる。
【００２９】
〔発明９〕  一方、上記目的を達成するために、発明９の表示装置は、
発明１乃至発明７のいずれか１のプレゼンテーション支援装置と、
前記文書データによって構成される文書画像を前記表示部に表示する表示手段と、を備えることを特徴としている。
このような構成であれば、表示手段により、文書データによって構成される文書画像を表示部に表示することが可能である。
従って、発明１乃至発明７のいずれか１のプレゼンテーション支援装置を、プロジェクタ等の表示装置として構成できるという効果が得られる。
【００３０】
〔発明１０〕  更に、上記目的を達成するために、発明１０の表示装置は、
発明８のプレゼンテーション支援装置と、
前記文書データによって構成される文書画像を前記表示部に表示する表示手段と、
前記分割修正文書データ生成手段によって生成された、前記切替表示可能な文書データによって構成される文書画像の表示内容を、利用者からの指示に応じて切替表示可能な切替表示手段と、を備えることを特徴としている。
このような構成であれば、表示手段により、文書データによって構成される文書画像を表示部に表示することが可能であり、切替表示手段により、分割修正文書データ生成手段によって生成された、切替表示可能な文書データによって構成される文書画像の表示内容を、利用者からの指示に応じて切替表示することが可能である。
従って、発明８のプレゼンテーション装置を、プロジェクタ等の表示装置として構成できると共に、文書データを修正した結果、表示内容が一画面で表示しきれないような状態となった場合においても、修正後の文書データによって表示される文書画像を分割して、当該分割された画像を、利用者の指示に応じて切替表示することができるので、修正によって表示内容が欠落するといった状況の発生を防ぐことができるという効果が得られる。
【００３１】
〔発明１１〕  一方、上記目的を達成するために、発明１１のプレゼンテーション支援プログラムは、
文書データによって構成される文書画像を表示し、当該表示結果を利用して発表者が聴講者に対して行うプレゼンテーションを支援するのに使用するプレゼンテーション支援プログラムであって、
前記プレゼンテーションの実施環境において、当該実施環境に係る環境情報を取得する環境情報取得ステップと、
前記文書データと前記環境情報取得ステップにおいて取得された前記環境情報とに基づき、当該文書データによって構成される文書画像の表示内容に読み難い部分があるか否かを判定する表示状態判定ステップと、
前記表示状態判定ステップにおいて前記表示内容に読み難い部分があると判定された場合に、前記文書データにおける読み難い部分のデータと前記環境情報とに基づき、前記文書データを修正した文書データである修正文書データを生成する修正文書データ生成ステップと、
前記修正文書データを修正文書データ記憶手段に記憶する修正文書データ記憶ステップとからなる処理をコンピュータに実行させるのに使用するプログラムを含むことを特徴としている。
このような構成であれば、コンピュータによってプログラムが読み取られ、読み取られたプログラムに従ってコンピュータが処理を実行すると、発明１のプレゼンテーション支援装置と同等の作用および効果が得られる。
【００３２】
〔発明１２〕  更に、上記目的を達成するために、発明１２のプレゼンテーション支援プログラムにおいて、
文書データによって構成される文書画像を表示部に表示し、当該表示結果を利用して発表者が聴講者に対して行うプレゼンテーションを支援するのに使用するプレゼンテーション支援プログラムであって、
前記文書データを取得する文書データ取得ステップと、
前記プレゼンテーションの実施環境において、前記環境情報を取得する環境情報取得ステップと、
前記文書データ取得ステップにおいて取得された前記文書データと、前記環境情報取得ステップにおいて取得された前記環境情報と、前記文書画像の表示内容に読み難い部分があるか否かを判定するための判定用情報の記憶された判定用情報記憶手段の記憶内容とに基づき、当該文書データによって構成される文書画像の表示内容に読み難い部分があるか否かを判定する表示状態判定ステップと、
前記表示状態判定ステップにおいて前記表示内容に読み難い部分があると判定された場合に、前記文書データにおける前記読み難い部分のデータと前記環境情報と前記判定用情報とに基づき、前記文書データを修正した文書データである修正文書データを生成する修正文書データ生成ステップと、
前記修正文書データを修正文書データ記憶手段に記憶する修正文書データ記憶ステップとからなる処理をコンピュータに実行させるのに使用するプログラムを含むことを特徴としている。
このような構成であれば、コンピュータによってプログラムが読み取られ、読み取られたプログラムに従ってコンピュータが処理を実行すると、発明２のプレゼンテーション支援装置と同等の作用および効果が得られる。
【００３３】
〔発明１３〕  更に、発明１３のプレゼンテーション支援プログラムは、発明１２のプレゼンテーション支援プログラムにおいて、
前記環境情報は、前記表示部から前記聴講者の聴講位置までの距離の情報及び前記表示部における前記文書画像の表示サイズの情報の組み合わせと、前記プレゼンテーションの実施場所の規模の情報及び前記表示部における前記文書画像の表示サイズの情報の組み合わせとのうち、少なくとも一方の組み合わせを含むことを特徴としている。
このような構成であれば、コンピュータによってプログラムが読み取られ、読み取られたプログラムに従ってコンピュータが処理を実行すると、発明３のプレゼンテーション支援装置と同等の作用および効果が得られる。
【００３４】
〔発明１４〕  更に、発明１４のプレゼンテーション支援プログラムは、発明１２又は１３のプレゼンテーション支援プログラムにおいて、
前記環境情報取得ステップにおいては、前記表示部から、前記聴講者の聴講位置までの距離を測定可能な距離測定部の測定結果に基づき前記距離を取得し、前記表示部における前記文書画像の表示サイズを測定する表示サイズ測定部の測定結果に基づき前記表示サイズを取得することを特徴としている。
このような構成であれば、コンピュータによってプログラムが読み取られ、読み取られたプログラムに従ってコンピュータが処理を実行すると、発明４のプレゼンテーション支援装置と同等の作用および効果が得られる。
【００３５】
〔発明１５〕  更に、発明１５のプレゼンテーション支援プログラムは、発明１３又は１４のプレゼンテーション支援プログラムにおいて、
前記判定用情報は、前記表示部から前記聴講者の聴講位置までの距離と、前記文書画像に含まれる文字画像の線の太さの適正値との関係を示す情報、前記表示部から前記聴講者の聴講位置までの距離と、前記文書画像に含まれる文字画像のデザインの適正種類との関係を示す情報及び前記表示部から前記聴講者の聴講位置までの距離と、前記文書画像に含まれる文字画像の色とその背景色との適正な組み合わせとの関係を示す情報のうち、少なくとも１つを含むことを特徴としている。
このような構成であれば、コンピュータによってプログラムが読み取られ、読み取られたプログラムに従ってコンピュータが処理を実行すると、発明５のプレゼンテーション支援装置と同等の作用および効果が得られる。
【００３６】
〔発明１６〕  更に、発明１６のプレゼンテーション支援プログラムは、発明１２乃至１５のいずれか１のプレゼンテーション支援プログラムにおいて、
前記判定用情報は、前記表示部に表示される文字のサイズと、前記表示部に表示された文字に対する前記聴講者の適正視角との関係を示す情報を含むことを特徴としている。
このような構成であれば、コンピュータによってプログラムが読み取られ、読み取られたプログラムに従ってコンピュータが処理を実行すると、発明６のプレゼンテーション支援装置と同等の作用および効果が得られる。
【００３７】
〔発明１７〕  更に、発明１７のプレゼンテーション支援プログラムは、発明１２乃至１６のいずれか１のプレゼンテーション支援プログラムにおいて、
前記環境情報取得ステップにおいては、前記環境情報として、前記表示部に表示された前記文書画像に含まれる、文字画像の線の太さ、文字画像のデザインの種類及び文字画像の色とその背景色との組み合わせの情報のうち、少なくとも１つを取得するようになっており、
前記表示状態判定ステップにおいては、前記環境情報取得ステップにおいて取得された前記環境情報に基づき、前記判定用情報を補正すると共に、当該補正された判定用情報に基づき、前記文書データによって構成される文書画像の表示内容に読み難い部分があるか否かを判定することを特徴としている。
このような構成であれば、コンピュータによってプログラムが読み取られ、読み取られたプログラムに従ってコンピュータが処理を実行すると、発明７のプレゼンテーション支援装置と同等の作用および効果が得られる。
【００３８】
〔発明１８〕  更に、発明１８のプレゼンテーション支援プログラムは、発明１２乃至１７のいずれか１のプレゼンテーション支援プログラムにおいて、
前記修正文書データ生成ステップにおいては、自ステップにおいて生成した文書データによって構成される文書画像が、修正前とは異なり、前記表示部に一度に表示しきれないものとなった場合に、当該文書データを更に修正して、当該文書画像の表示内容を前記表示部に一度に表示できる単位に分割すると共に、当該分割した表示内容を前記表示部に切替表示可能な文書データを生成することを特徴としている。
このような構成であれば、コンピュータによってプログラムが読み取られ、読み取られたプログラムに従ってコンピュータが処理を実行すると、発明８のプレゼンテーション支援装置と同等の作用および効果が得られる。
【００３９】
〔発明１９〕  一方、上記目的を達成するために、発明１９の表示装置制御プログラムは、
発明９の表示装置を制御するのに使用する表示装置制御プログラムであって、
発明１２のプレゼンテーション支援プログラムを含み、
更に、前記文書データを前記表示部に表示する表示ステップをコンピュータに実行させるのに使用するプログラムを含むことを特徴としている。
このような構成であれば、コンピュータによってプログラムが読み取られ、読み取られたプログラムに従ってコンピュータが処理を実行すると、発明９の表示装置と同等の作用および効果が得られる。
【００４０】
〔発明２０〕  更に、上記目的を達成するために、発明２０の表示装置制御プログラムは、
発明１０の表示装置を制御するのに使用する表示装置制御プログラムであって、
発明１２のプレゼンテーション支援プログラムを含み、
前記修正文書データ生成ステップにおいては、自ステップにおいて生成した文書データによって構成される文書画像が、修正前とは異なり、前記表示部に一度に表示しきれないものとなった場合に、当該文書データを更に修正して、当該文書画像の表示内容を前記表示部に一度に表示できる単位に分割すると共に、当該分割した表示内容を前記表示部に切替表示可能な文書データを生成し、
前記分割修正文書データ生成ステップにおいて生成された、前記切替表示可能な文書データによって構成される文書画像の表示内容を、利用者からの指示に応じて切替表示する切替表示ステップと、
前記文書データによって構成される文書画像を前記表示部に表示する表示ステップとからなる処理をコンピュータに実行させるのに使用するプログラムを更に含むことを特徴としている。
このような構成であれば、コンピュータによってプログラムが読み取られ、読み取られたプログラムに従ってコンピュータが処理を実行すると、発明１０の表示装置と同等の作用および効果が得られる。
【００４１】
〔発明２１〕  一方、上記目的を達成するために、発明２１のプレゼンテーション支援方法は、
文書データによって構成される文書画像を表示し、当該表示結果を利用して発表者が聴講者に対して行うプレゼンテーションを支援するのに使用するプレゼンテーション支援方法であって、
前記プレゼンテーションの実施環境において、当該実施環境に係る環境情報を取得する環境情報取得ステップと、
前記文書データと前記環境情報取得ステップにおいて取得された前記環境情報とに基づき、当該文書データによって構成される文書画像の表示内容に読み難い部分があるか否かを判定する表示状態判定ステップと、
前記表示状態判定ステップにおいて前記表示内容に読み難い部分があると判定された場合に、前記文書データにおける読み難い部分のデータと前記環境情報とに基づき、前記文書データを修正した文書データである修正文書データを生成する修正文書データ生成ステップと、を含むことを特徴としている。
これにより、発明１のプレゼンテーション支援装置と同等の効果が得られる。
【００４２】
〔発明２２〕  更に、上記目的を達成するために、発明２２のプレゼンテーション支援方法は、
文書データによって構成される文書画像を表示部に表示し、当該表示結果を利用して発表者が聴講者に対して行うプレゼンテーションを支援するのに使用するプレゼンテーション支援方法であって、
前記文書データを取得する文書データ取得ステップと、
前記プレゼンテーションの実施環境において、前記環境情報を取得する環境情報取得ステップと、
前記文書データ取得ステップにおいて取得された前記文書データと、前記環境情報取得ステップにおいて取得された前記環境情報と、前記文書画像の表示内容に読み難い部分があるか否かを判定するための判定用情報の記憶された判定用情報記憶手段の記憶内容とに基づき、当該文書データによって構成される文書画像の表示内容に読み難い部分があるか否かを判定する表示状態判定ステップと、
前記表示状態判定ステップにおいて前記表示内容に読み難い部分があると判定された場合に、前記文書データにおける前記読み難い部分のデータと前記環境情報と前記判定用情報とに基づき、前記文書データを修正した文書データである修正文書データを生成する修正文書データ生成ステップと、を含むことを特徴としている。
これにより、発明２のプレゼンテーション支援装置と同等の効果が得られる。
【００４３】
〔発明２３〕  更に、発明２３のプレゼンテーション支援方法は、発明２２のプレゼンテーション支援方法において、
前記環境情報は、前記表示部から前記聴講者の聴講位置までの距離の情報及び前記表示部における前記文書画像の表示サイズの情報の組み合わせと、前記表示部から、前記聴講者の聴講位置までの距離の情報及び前記プレゼンテーションの実施場所の規模の情報の組み合わせとのうち、少なくとも一方の組み合わせを含むことを特徴としている。
これにより、発明３のプレゼンテーション支援装置と同等の効果が得られる。
【００４４】
〔発明２４〕  更に、発明２４のプレゼンテーション支援方法は、発明２２又は２３のプレゼンテーション支援方法において、
前記環境情報取得ステップにおいては、前記表示部から、前記聴講者の聴講位置までの距離を測定可能な距離測定部の測定結果に基づき前記距離を取得し、前記表示部における前記文書画像の表示サイズを測定する表示サイズ測定部の測定結果に基づき前記表示サイズを取得することを特徴としている。
これにより、発明４のプレゼンテーション支援装置と同等の効果が得られる。
【００４５】
〔発明２５〕  更に、発明２５のプレゼンテーション支援方法は、発明２３又は２４のプレゼンテーション支援方法において、
前記判定用情報は、前記表示部から前記聴講者の聴講位置までの距離と、前記文書画像に含まれる文字画像の線の太さの適正値との関係を示す情報、前記表示部から前記聴講者の聴講位置までの距離と、前記文書画像に含まれる文字画像のデザインの適正種類との関係を示す情報及び前記表示部から前記聴講者の聴講位置までの距離と、前記文書画像に含まれる文字画像の色とその背景色との適正な組み合わせとの関係を示す情報のうち、少なくとも１つを含むことを特徴としている。
これにより、発明５のプレゼンテーション支援装置と同等の効果が得られる。
【００４６】
〔発明２６〕  更に、発明２６のプレゼンテーション支援方法は、発明２２乃至２５のいずれか１のプレゼンテーション支援方法において、
前記判定用情報は、前記表示部に表示される文字のサイズと、前記表示部に表示された文字に対する前記聴講者の適正視角との関係を示す情報を含むことを特徴としている。
これにより、発明６のプレゼンテーション支援装置と同等の効果が得られる。
【００４７】
〔発明２７〕  更に、発明２７のプレゼンテーション支援方法は、発明２２乃至２６のいずれか１のプレゼンテーション支援方法において、
前記環境情報取得ステップにおいては、前記環境情報として、前記表示部に表示された前記文書画像に含まれる、文字画像の線の太さ、文字画像のデザインの種類及び文字画像の色とその背景色との組み合わせの情報のうち、少なくとも１つを取得し、
前記表示状態判定ステップにおいては、前記環境情報取得ステップにおいて取得された前記環境情報に基づき、前記判定用情報を補正すると共に、当該補正された判定用情報に基づき、前記文書データによって構成される文書画像の表示内容に読み難い部分があるか否かを判定することを特徴としている。
これにより、発明７のプレゼンテーション支援装置と同等の効果が得られる。
【００４８】
〔発明２８〕  更に、発明２８のプレゼンテーション支援方法は、発明２２乃至２７のいずれか１のプレゼンテーション支援方法において、
前記修正文書データ生成ステップにおいては、自ステップにおいて生成した文書データによって構成される文書画像が、修正前とは異なり、前記表示部に一度に表示しきれないものとなった場合に、当該文書データを更に修正して、当該文書画像の表示内容を前記表示部に一度に表示できる単位に分割すると共に、当該分割した表示内容を前記表示部に切替表示可能な文書データを生成することを特徴としている。
これにより、発明８のプレゼンテーション支援装置と同等の効果が得られる。
【００４９】
〔発明２９〕  一方、発明２９の表示装置制御方法は、
発明９の表示装置を制御するのに使用する表示装置制御方法であって、
発明１６のプレゼンテーション支援方法において、
前記文書データを前記表示部に表示する表示ステップを更に含むことを特徴としている。
これにより、発明９の表示装置と同等の効果が得られる。
【００５０】
〔発明３０〕  更に、発明３０の表示装置制御方法は、
発明１０の表示装置を制御するのに使用する表示装置制御方法であって、
発明１６のプレゼンテーション支援方法において、
前記修正文書データ生成ステップにおいては、自ステップにおいて生成した文書データによって構成される文書画像が、修正前とは異なり、前記表示部に一度に表示しきれないものとなった場合に、当該文書データを更に加工して、当該文書画像の表示内容を前記表示部に一度に表示できる単位に分割すると共に、当該分割した表示内容を前記表示部に切替表示可能な文書データを生成し、
前記分割修正文書データ生成ステップにおいて生成された、前記切替表示可能な文書データによって構成される文書画像の表示内容を、利用者からの指示に応じて切替表示する切替表示ステップと、
前記文書データによって構成される文書画像を前記表示部に表示する表示ステップと、を更に含むことを特徴としている。
これにより、発明１０の表示装置と同等の効果が得られる。
【発明を実施するための最良の形態】
【００５１】
〔第１の実施の形態〕
以下、本発明の実施の形態を図面に基づき説明する。図１〜図９は、本発明に係るプレゼンテーション支援装置、表示装置、プレゼンテーション支援プログラム、表示装置制御プログラム、プレゼンテーション支援方法及び表示装置制御方法の第１の実施の形態を示す図である。
【００５２】
本実施の形態は、本発明に係るプレゼンテーション支援装置、表示装置、プレゼンテーション支援プログラム、表示装置制御プログラム、プレゼンテーション支援方法及び表示装置制御方法を、文書データによって構成される文書画像を表示部に表示し、当該表示結果を利用して、発表者が聴講者に対してプレゼンテーションを行うプレゼンテーションシステムに適用したものである。
【００５３】
まず、本発明に係るプレゼンテーションシステム１００の概観構成を図１に基づき説明する。図１は、本発明に係るプレゼンテーションシステム１００の概観構成を示す図である。
プレゼンテーションシステム１００は、図１に示すように、プレゼンテーションを行う会場となる建物１と、プレゼンテーションを聴講する聴講者の座席である聴講者席２と、文書データによって構成される文書画像をスクリーン４に投射すると共に、投射結果の文書画像に聴講者席２から見て読み難い部分があった場合に、当該読み難い部分を修正した修正文書データを生成可能なプロジェクタ３と、当該プロジェクタ３から光投射された画像を表示するスクリーン４とを含んだ構成となっている。
【００５４】
更に、図２に基づき、プロジェクタ３の詳細な構成を説明する。図２は、プロジェクタ３の詳細構成を示すブロック図である。
プロジェクタ３は、図２に示すように、文書データを取得する文書データ取得部３ａと、各構成要素間のデータの授受を制御したり、文書画像のスクリーン４における表示サイズを算出したりするデータ制御部３ｂと、文書データ取得部３ａにおいて取得された文書データや、各処理に必要なデータを記憶するデータ記憶部３ｃと、文書画像の表示内容に読み難い部分があるか否かを判定するための判定用情報を記憶する判定用情報記憶部３ｄと、プロジェクタ３本体とスクリーン４との間の距離と、プロジェクタ３本体と聴講者席との間の距離とを測定可能な距離センサ３ｅと、投射光のスクリーン４への投射角度を取得する投射角度取得部３ｆと、文書画像の表示内容に読み難い部分があるか否かを判定する表示状態判定部３ｇと、当該表示状態判定部３ｇにおいて、文書画像の表示内容に読み難い部分があると判定された場合に、前記読み難い部分を修正した修正文書データを生成する修正文書データ生成部３ｈと、文書画像をスクリーン４に光投射する画像投射部３ｉと、表示状態判定処理のモード設定等を行うための操作部３ｊとを含んだ構成となっている。
【００５５】
文書データ取得部３ａは、ネットワークを介して外部装置から文書データを取得したり、ＵＳＢメモリ、ＣＤ−Ｒ等の記憶媒体を介して文書データを取得したりするなど、発表者がプレゼンテーションに用いる文書データを取得する機能を有している。
データ制御部３ｂは、各構成要素において取得又は生成されたデータをデータ記憶部３ｃに記憶したり、他の構成要素に伝送したりするなどプロジェクタ３におけるデータの流れを統括制御する機能を有すると共に、投射角度取得部３ｆにおいて取得された投射角度及び表示サイズ測定用文書データに基づき、表示サイズ測定用文書データの画像とスクリーン４に表示される画像とのサイズ比率を算出する機能を有している。ここで、距離センサ３ｅにおいて測定された距離の情報と、前記算出されたサイズ比率の情報とは、環境情報としてデータ記憶部３ｃに記憶される。
【００５６】
データ記憶部３ｃは、文書データ、環境情報、表示サイズ測定用文書データ等の各処理に用いるデータを記憶する機能を有している。
判定用情報記憶部３ｄは、文書画像の表示内容に読み難い部分があるか否かを判定するための判定用情報を記憶する機能を有している。本実施の形態において、判定用情報とは、聴講者席２からスクリーン４の表示内容を見たときの適正な視角情報と、更に、聴講者席２からスクリーン４までの距離（以下、判定距離と称す）と、これに対する適正なフォントサイズとが対応付けられたデータテーブル、判定距離と、これに対する適正なフォントウェイト（太さ）とが対応付けられたデータテーブル、判定距離と、これに対する適正なフォント種類とが対応付けられたデータテーブル、並びに、判定距離と、これに対する適正なフォントカラー及びその背景色の組み合わせとが対応付けられたデータテーブルを含むものである。
【００５７】
距離センサ３ｅは、赤外半導体レーザを光源として、距離を計測するセンサであり、プロジェクタ３本体とスクリーン４との間の距離と、プロジェクタ３本体と聴講者席（反射位置を任意に設定可能）との間の距離を測定する機能を有している。
投射角度取得部３ｆは、角度センサを有し、当該角度センサによって、プロジェクタ３のスクリーン４への投射光の投射角度を取得する機能を有している。
【００５８】
表示状態判定部３ｇは、文書データ取得部３ａにおいて取得した文書データと、判定用情報記憶部３ｄの記憶内容と、環境情報とに基づき、当該文書データによって構成される文書画像の表示内容に、スクリーン４に表示したときに聴講者席２側から見て読み難くなる部分があるか否かを判定する機能を有している。本実施の形態においては、４種類の判定用情報に対応して、フォントサイズモード、フォントウェイトモード、フォント種類モード、フォントカラーモードの４種類のモードの中から１種類を選択して設定することが可能となっており、読み難いか否かの判定は、各モードに応じた判定用情報に基づいて行われる。
【００５９】
修正文書データ生成部３ｈは、表示状態判定部３ｇにおいて、文書画像の表示内容に、読み難い部分があると判定された場合に、表示データにおける読み難い部分のデータと、環境情報と、判定用情報記憶部３ｄの記憶内容とに基づき、文書データを加工して、読み難い部分を修正した修正文書データを生成する機能を有している。本実施の形態においては、上記設定されたモードに対応した判定用情報に基づいて、読み難い部分を修正する。
【００６０】
画像投射部３ｉは、公知の液晶プロジェクタと同様の原理によって、文書データ等の各種データによって構成される画像をスクリーン４に光投射する機能を有している。具体的には、超高圧水銀ランプやキセノンランプ等から成る光源と、照射面で一様な照度分布を得るためのフライアイレンズと、各種データに基づき、入射した光の波長領域のうちＲＧＢ３原色の輝度をそれぞれ変調する色変調部と、色変調部から入射した光をスクリーン４に光投射する投射部とで構成されている。
【００６１】
色変調部は、透過率を独立に制御可能な複数の画素をマトリクス状に配列した構成の３枚の液晶ライトバルブと、フィールドレンズと、特定色の光のみを透過しそれ以外の光を反射するダイクロイックミラーと、ミラーと、入射した各色の光を合成するダイクロイックプリズムとで構成されている。
投射部は、投射レンズにより、入射光をスクリーン４に拡大投射するように構成されている。
【００６２】
操作部３ｊは、ユーザの操作に応じて、表示情報判断処理のモード設定などを行うための情報を、プロジェクタ３に入力する機能を有している。
ここで、プロジェクタ３は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【００６３】
更に、プロジェクタ３は、ＣＰＵによって、ＲＯＭの所定領域に格納されている所定のプログラムを起動させ、そのプログラムに従って、図３のフローチャートに示す修正文書データ生成処理を実行するようになっている。
図３は、プロジェクタ３における修正文書データ生成処理を示すフローチャートである。
【００６４】
修正文書データ生成処理は、ＣＰＵによって実行されると、図３に示すように、まず、ステップＳ１００に移行するようになっている。
ステップＳ１００では、データ制御部３ｂにおいて、距離センサ３ｅによって測定された、プロジェクタ３とスクリーン４との間の距離情報と、プロジェクタ３と聴講者席２との間の距離情報とを取得してステップＳ１０２に移行する。
【００６５】
ステップＳ１０２では、データ制御部３ｂにおいて、距離センサ３ｅから取得した距離情報を、データ記憶部３ｃに記憶してステップＳ１０４に移行する。
ステップＳ１０４では、投射角度取得部３ｆにおいて、プロジェクタ３のスクリーン４への投射角度を取得してステップＳ１０６に移行する。
ステップＳ１０６では、データ制御部３ｂにおいて、ステップＳ１０４で取得された投射角度と、表示サイズ測定用文書データとに基づき、元の表示サイズ測定用文書データの画像と、スクリーン４に拡大投射される表示サイズ測定用文書データの画像とのサイズ比率を算出してステップＳ１０８に移行する。
【００６６】
ステップＳ１０８では、データ制御部３ｂにおいて、ステップＳ１０６で算出されたサイズ比率の情報を、環境情報としてデータ記憶部３ｃに記憶してステップＳ１１０に移行する。
ステップＳ１１０では、データ制御部３ｂにおいて、文書データ取得部３ａを介して文書データを取得したか否かを判定し、取得したと判定された場合(Yes)はステップＳ１１２に移行し、そうでない場合(No)は判定処理を継続する。
【００６７】
ステップＳ１１２に移行した場合は、データ制御部３ｂにおいて、文書データ取得部３ａを介して取得した文書データを、データ記憶部３ｃに記憶すると共に、表示状態判定部３ｇに判定処理開始命令を伝送してステップＳ１１４に移行する。
ステップＳ１１４では、表示状態判定部３ｇは、判定処理開始命令を取得すると、上記取得した文書データによって構成される文書画像において、そのスクリーン４への表示内容に読み難い部分があるか否かを判定する処理を行いステップＳ１１６に移行する。
【００６８】
ステップＳ１１６では、データ制御部３ｂにおいて、表示状態判定部３ｇの判定結果に基づき、表示内容に読み難い部分があったか否かを判定し、読み難い部分があったと判定された場合(Yes)はステップＳ１１８に移行し、そうでない場合(No)はステップＳ１１０に移行する。
ステップＳ１１８に移行した場合は、データ制御部３ｂからの修正文書データ生成命令に応じて、修正文書データ生成部３ｈにおいて、上記取得した文書データを加工して、修正文書データを生成しステップＳ１２０に移行する。
【００６９】
ステップＳ１２０では、データ制御部３ｂにおいて、ステップＳ１１８で生成した修正文書データをデータ記憶部３ｃに記憶してステップＳ１１０に移行する。
次に、図４に基づき、ステップＳ１１４の表示状態判定処理を詳細に説明する。
図４は、プロジェクタ３における、表示状態判定処理を示すフローチャートである。
表示状態判定処理は、文書データ、環境情報及び判定用情報に基づき、文書データによって構成される文書画像の表示内容に、読み難い部分があるか否かを判定する処理であって、ステップＳ１１４において実行されると、図４に示すように、まず、ステップＳ２００に移行するようになっている。
【００７０】
ステップＳ２００では、データ制御部３ｂにおいて、表示情報判断処理のモード設定画面を、画像投射部３ｉによってスクリーン４に表示させるか、又は、図示しない表示部に表示すると共に、ユーザの操作部３ｊの操作入力を受け付けてステップＳ２０２に移行する。
ステップＳ２０２では、データ制御部３ｂにおいて、操作部３ｊの操作入力により、表示情報判断処理のモードが設定されたか否かを判定し、設定されたと判定された場合(Yes)は、設定モードをＲＡＭに記憶すると共に、表示状態判定部３ｇに判定処理の実行命令を伝送してステップＳ２０４に移行し、そうでない場合(No)は設定されるまで待機する。
【００７１】
ステップＳ２０４に移行した場合は、表示状態判定部３ｇにおいて、データ制御部３ｂを介してデータ記憶部３ｃから文書データを読み出してステップＳ２０６に移行する。
ステップＳ２０６では、表示状態判定部３ｇにおいて、データ制御部３ｂを介してデータ記憶部３ｃから環境情報を読み出してステップＳ２０８に移行する。
ステップＳ２０８では、表示状態判定部３ｇにおいて、設定されたモードがフォントサイズモードであるか否かを判定し、フォントサイズモードであると判定された場合(Yes)はステップＳ２１０に移行し、そうでない場合(No)はステップＳ２１８に移行する。
【００７２】
ステップＳ２１０に移行した場合は、表示状態判定部３ｇにおいて、データ制御部３ｂを介して判定用情報記憶部３ｄからフォントサイズモードに対応した判定用情報を読み出してステップＳ２１２に移行する。
ステップＳ２１２では、表示状態判定部３ｇにおいて、ステップＳ２０４で読み出した文書データに対して、ステップＳ２０６で読み出した環境情報及びステップＳ２１０で読み出した判定用情報に基づき、当該文書データによって構成される文書画像をスクリーン４に投射表示した場合に、その表示内容に含まれるフォント（文字）のサイズは適切か否かを判定し、適切であると判定された場合(Yes)はステップＳ２１４に移行し、そうでない場合(No)はステップＳ２１６に移行する。
【００７３】
ステップＳ２１４に移行した場合は、表示情報判定部３ｇにおいて、文書データには、読み難い部分が無いと判定し、当該判定結果をデータ制御部３ｂに伝送して処理を終了する。
一方、ステップＳ２１６に移行した場合は、表示情報判定部３ｇにおいて、文書データには、読み難い部分があると判定し、当該判定結果をデータ制御部３ｂに伝送して処理を終了する。
【００７４】
また、ステップＳ２０８において、設定されたモードがフォントサイズモードではなくステップＳ２１８に移行した場合は、表示状態判定部３ｇにおいて、設定されたモードがフォントウェイトモードであるか否かを判定し、フォントウェイトモードであると判定された場合(Yes)はステップＳ２２０に移行し、そうでない場合(No)はステップＳ２２４に移行する。
【００７５】
ステップＳ２２０に移行した場合は、表示状態判定部３ｇにおいて、データ制御部３ｂを介して判定用情報記憶部３ｄからフォントウェイトモードに対応した判定用情報を読み出してステップＳ２２２に移行する。
ステップＳ２２２では、表示状態判定部３ｇにおいて、ステップＳ２０４で読み出した文書データに対して、ステップＳ２０６で読み出した環境情報及びステップＳ２２０で読み出した判定用情報に基づき、当該文書データによって構成される文書画像をスクリーン４に投射表示した場合に、その表示内容に含まれる文字のフォントのウェイトは適切か否かを判定し、適切であると判定された場合(Yes)はステップＳ２１４に移行し、そうでない場合(No)はステップＳ２１６に移行する。
【００７６】
また、ステップＳ２１８において、設定されたモードがフォントウェイトモードではなくステップＳ２２４に移行した場合は、表示状態判定部３ｇにおいて、設定されたモードがフォント種類モードであるか否かを判定し、フォント種類モードであると判定された場合(Yes)はステップＳ２２６に移行し、そうでない場合(No)はステップＳ２３０に移行する。
【００７７】
ステップＳ２２６に移行した場合は、表示状態判定部３ｇにおいて、データ制御部３ｂを介して判定用情報記憶部３ｄからフォント種類モードに対応した判定用情報を読み出してステップＳ２２８に移行する。
ステップＳ２２８では、表示状態判定部３ｇにおいて、ステップＳ２０４で読み出した文書データに対して、ステップＳ２０６で読み出した環境情報及びステップＳ２２６で読み出した判定用情報に基づき、当該文書データによって構成される文書画像をスクリーン４に投射表示した場合に、その表示内容に含まれるフォントの種類は適切か否かを判定し、適切であると判定された場合(Yes)はステップＳ２１４に移行し、そうでない場合(No)はステップＳ２１６に移行する。
【００７８】
また、ステップＳ２２４において、設定されたモードがフォント種類モードではなくステップＳ２３０に移行した場合は、表示状態判定部３ｇにおいて、データ制御部３ｂを介して判定用情報記憶部３ｄからフォントカラーモードに対応した判定用情報を読み出してステップＳ２３２に移行する。
ステップＳ２３２では、表示状態判定部３ｇにおいて、ステップＳ２０４で読み出した文書データに対して、ステップＳ２０６で読み出した環境情報及びステップＳ２３０で読み出した判定用情報に基づき、当該文書データによって構成される文書画像をスクリーン４に投射表示した場合に、その表示内容に含まれる文字色とその背景色との組み合わせは適切か否かを判定し、適切であると判定された場合(Yes)はステップＳ２１４に移行し、そうでない場合(No)はステップＳ２１６に移行する。
【００７９】
次に、図５に基づき、ステップＳ１１８の修正文書データ生成処理を詳細に説明する。
図５は、プロジェクタ３における、修正文書データ生成処理を示すフローチャートである。
修正文書データ生成処理は、文書データにおける読み難い部分のデータ及び判定用情報に基づき、文書データを加工して、読み難い部分を修正した修正文書データを生成する処理であって、ステップＳ１１８において実行されると、図５に示すように、まず、ステップＳ３００に移行するようになっている。
【００８０】
ステップＳ３００では、修正文書データ生成部３ｈにおいて、ＲＡＭに記憶された設定モード情報を読み出し、モードの内容を確認してステップＳ３０２に移行する。
ステップＳ３０２では、修正文書データ生成部３ｈにおいて、設定されたモードがフォントサイズモードであるか否かを判定し、フォントサイズモードであると判定された場合(Yes)はステップＳ３０４に移行し、そうでない場合(No)はステップＳ３０６に移行する。
【００８１】
ステップＳ３０４に移行した場合は、修正文書データ生成部３ｈにおいて、文書データ中の読み難い部分のデータ及びフォントサイズモードに対応した判定用情報に基づき、文書データ中の読み難い部分のフォントサイズを適正サイズに修正した修正文書データを生成して、これをデータ制御部３ｂに伝送して処理を終了する。
一方、ステップＳ３０２において、フォントサイズモードでは無くステップＳ３０６に移行した場合は、修正文書データ生成部３ｈにおいて、設定されたモードがフォントウェイトモードであるか否かを判定し、フォントウェイトモードであると判定された場合(Yes)はステップＳ３０８に移行し、そうでない場合(No)はステップＳ３１０に移行する。
【００８２】
ステップＳ３０８に移行した場合は、修正文書データ生成部３ｈにおいて、文書データ中の読み難い部分のデータ及びフォントウェイトモードに対応した判定用情報に基づき、文書データ中の読み難い部分のフォントウェイトを適正ウェイトに修正した修正文書データを生成して、これをデータ制御部３ｂに伝送して処理を終了する。
また、ステップＳ３０６において、フォントウェイトモードでは無くステップＳ３１０に移行した場合は、修正文書データ生成部３ｈにおいて、設定されたモードがフォント種類モードであるか否かを判定し、フォント種類モードであると判定された場合(Yes)はステップＳ３１２に移行し、そうでない場合(No)はステップＳ３１４に移行する。
【００８３】
ステップＳ３１２に移行した場合は、修正文書データ生成部３ｈにおいて、文書データ中の読み難い部分のデータ及びフォント種類モードに対応した判定用情報に基づき、文書データ中の読み難い部分のフォント種類を適正種類に修正した修正文書データを生成して、これをデータ制御部３ｂに伝送して処理を終了する。
また、ステップＳ３１０において、フォント種類モードでは無くステップＳ３１２に移行した場合は、文書データ中の読み難い部分のデータ及びフォントカラーモードに対応した判定用情報に基づき、文書データ中の読み難い部分のフォントカラーとその背景色との組み合わせを適正な組み合わせに修正した修正文書データを生成して、これをデータ制御部３ｂに伝送して処理を終了する。
【００８４】
次に、図６〜図９に基づき、本実施の形態の動作を説明する。
ここで、図６は、プレゼンテーションシステム１００において、プロジェクタ３を横側から見た場合の、環境情報の一例を示す図である。また、図７（ａ）は、修正前の文書画像の表示例を示す図であり、（ｂ）は、修正前の文書画像を通常より拡大して投射した場合の表示例を示す図であり、（ｃ）は、修正後の文書データによる文書画像の表示例を示す図である。また、図８（ａ）は、フォントウェイトモードに対応する判定用情報の一例を示す図であり、（ｂ）は、フォント種類モードに対応する判定用情報の一例を示す図であり、（ｃ）は、フォントカラーモードに対応する判定用情報の一例を示す図である。また、図９（ａ）及び（ｂ）は、フォントウェイトモードにおける修正前及び修正後の文書画像の表示例を示す図であり、（ｂ）は、フォント種類モードにおける修正前及び修正後の文書画像の表示例を示す図であり、（ｃ）は、フォントカラーモードにおける修正前及び修正後の文書画像の表示例を示す図である。
【００８５】
ユーザによって、プロジェクタ３に電源が投入され、プロジェクタ３が起動すると、まず、距離センサ３ｅによって距離の測定が行われる（ステップＳ１００）。ここで、本実施の形態において、測定される距離は、図６に示すように、プロジェクタ３のレンズ位置からスクリーン４までの距離ｘ１［ｍ］と、プロジェクタ３のレンズ位置から聴講者席２における最後部席までの距離ｘ２［ｍ］となる。測定された距離は、環境情報としてデータ記憶部３ｃに記憶される（ステップＳ１０２）。距離センサ３ｅによる距離の測定が完了すると、次に、投射角度取得部３ｆによって、プロジェクタ３のスクリーン４への投射角度が取得される（ステップＳ１０４）。ここで、本実施の形態において、投射角度取得部３ｆによって取得される投射角度は、図６に示す、θ［°］となる。ここで、本実施の形態において、画像のサイズについては、縦方向のサイズのみに着目する。投射角度が取得されると、データ制御部３ｂにおいて、当該投射角度及び表示サイズ測定用文書データに基づき、元（拡大投射前）の表示サイズ測定用文書データの画像と、スクリーン４上に拡大投射表示された表示サイズ測定用文書データの画像とのサイズ比率を算出して（ステップＳ１０６）、当該算出結果を環境情報としてデータ記憶部３ｃに記憶する（ステップＳ１０８）。
【００８６】
以下に、サイズ比率の算出例を説明する。
プロジェクタ３によってスクリーン４に投射表示される画像の縦方向の長さｈ［ｍ］は、下式（１）によって算出することができる。
ｈ＝２・ｘ１・ｔａｎ（θ）                                          ・・・（１）
スライドの１ページの大きさを横２４［ｃｍ］、縦１８［ｃｍ］としてプレゼンテーション文書を作成し、これをスクリーンに拡大投写するものとする。１インチを２．５４［ｃｍ］、７２［ｐｔ］とすると、２４［ｃｍ］、１８［ｃｍ］はそれぞれ６８０［ｐｔ］、５１０［ｐｔ］として表せる。
【００８７】
ｎ［ｐｔ］の文字が、スクリーン上で拡大されて実際に表示される大きさｘ［ｍ］は、縦方向の大きさｈを用いて、次の（２）式のように示せる
ｘ＝ｈ×ｎ／５１０                                                  ・・・（２）
例えば、距離ｘ１が３［ｍ］、投射角度θが９．４６［°］とする。上式（１）に、「ｘ１＝３」及び「θ＝９．４６」を代入すると、縦方向の長さｈは、１．０［ｍ］と算出される。更に、上式（２）に、「ｈ＝１．０」を代入すると、下式（３）が求まる。
ｘ＝１．０×ｎ／５１０                                              ・・・（３）
つまり、元の画像において、フォントサイズがｎポイントのフォントは、上式（３）より、スクリーン４上では、「１／５１０」倍（単位は［ｍ］）されて表示されることになる。このようにして求められたサイズ比率は、環境情報としてデータ記憶部３ｃに記憶される。なお、このサイズ比率は、フォントサイズモードにおいて用いられる。また、フォントウェイトについても、同じ要領でサイズ比率を算出することになるが、ここでは、その説明を割愛する。
【００８８】
環境情報が取得されると、次に、データ制御部３ｂにおいて、文書データ取得部３ａを介して文書データが取得されたか否かを判定する（ステップＳ１１０）。文書データが取得されると、当該取得した文書データをデータ記憶部３ｃに記憶して（ステップＳ１１２）、表示状態判定処理へと移行する（ステップＳ１１４）。
表示状態判定処理においては、表示状態判定部３ｇにおいて、まず、モードの設定処理が行われる（ステップＳ２００）。本実施の形態において、モードの設定は、上記したように、モード設定用の画面を、図示しない表示部又はスクリーン４上に表示し、ユーザに操作部３ｊを操作させて、フォントサイズモード、フォントウェイトモード、フォント種類モード及びフォントカラーモードの４種類の中から任意の１モードを選択させることで行われる。モードの設定が完了すると（ステップＳ２０２）、データ記憶部３ｃから文書データ及び環境情報が読み出され（ステップＳ２０４，Ｓ２０６）、設定されたモードに応じた表示状態判定処理が開始される。
【００８９】
以下、表示状態判定処理のモードとして、フォントサイズモードが設定された場合の動作を説明する。
表示状態判定部３ｇは、フォントサイズモードが設定されていることを確認すると（ステップＳ２０８）、判定用情報記憶部３ｄからフォントサイズモードに対応した判定用情報を読み出す（ステップＳ２１０）。本実施の形態において、フォントサイズモードにおける判定用情報としては、聴講者席２に着席した聴講者が、スクリーン４に表示された文字を見たときの適正視角（ここでは、０．４［°］とする）となる。つまり、適正視角０．４［°］未満となるフォントがあった場合に、そのフォントは読み難いと判定される。
【００９０】
例えば、文書データ取得部３ａにおいて、図７（ａ）の表示例に示すように、フォント列「プレゼンテーション」を含む文書データを取得したとする。ここで、「プレゼンテーション」の各フォントのフォントサイズは１２［ポイント］であるとする。
この場合は、上式（３）により、「プレゼンテーション」の各文字のスクリーン４上での縦方向の表示サイズｘが０．０２４［ｍ］と算出される。一方、聴講者席２の最後部からスクリーン４までの距離をｒ［ｍ］としときに、表示サイズｘの文字が見える視角ｓ［°］の大きさは、下式（４）で算出することができる。
ｓ＝（３６０・ｘ）／（２・π・ｒ）                                  ・・・（４）
ここで、距離ｘ２を９［ｍ］とすると、距離ｒは、ｒ＝ｘ１＋ｘ２＝１２［ｍ］となる。従って、「ｘ＝０．０２４」及び「ｒ＝１２」を上式（４）に代入すると、視角ｓは、ｓ＝０．１１［°］と算出される。つまり、適正視角である０．４［°］と比較して、これよりも小さい角度となっているので、「プレゼンテーション」のフォントサイズ（１２ポイント）は適正サイズでは無いと判定され（ステップＳ２１２）、この判定結果より、スクリーン４上では読み難い部分であると判定される（ステップＳ２１４）。
【００９１】
上記判定結果に基づき、データ制御部３ｃにおいて、文書データに読み難い部分があると判定されると（ステップＳ１１６）、修正文書データ生成命令を修正文書データ生成部３ｈに伝送し、修正文書データ生成処理へと移行する（ステップＳ１１８）。
修正文書データ生成部３ｈは、修正文書データ生成命令を取得すると、修正文書データ生成処理を開始する。まず、設定されている表示状態判定処理のモードを確認する（ステップＳ３００）。ここでは、フォントサイズモードが設定されているので（ステップＳ３０２）、フォントサイズモード用の判定用情報に基づき、文書データにおける読み難いと判定された部分（フォント）のフォントサイズを修正する。
【００９２】
フォントサイズの修正処理は、聴講者席２の最後部からスクリーン４までの距離ｒが１２［ｍ］であり、且つ適正視角ｓが０．４［°］となっているので、これらを上式（４）に代入することで、距離ｒが１２［ｍ］のときに、視角ｓが０．４［°］となる文字サイズｘ＝０．０８４［ｍ］が算出できる。これにより、視角ｓを０．４［°］以上とするには、文字データ中の読み難いと判定された部分である「プレゼンテーション」のフォント列における各フォントサイズを、これらをスクリーン４上に表示したときに、各フォントの表示サイズｘが０．０８４［ｍ］以上となるサイズに修正すれば良いことになる。
【００９３】
従って、ｘ＝０．０８４を上式（３）に代入して、表示サイズｘが０．０８４［ｍ］となるときのフォントサイズｎ＝４２．８［ポイント］を求める。これにより、視角０．４［°］以上とするには、「プレゼンテーション」の各フォントのサイズを４２．８［ポイント］以上にすれば良いので、ここでは、元のフォントサイズ１２［ポイント］を、４３［ポイント］へと修正した修正文書データを生成する（ステップＳ３０４）。
【００９４】
修正文書データ生成部３ｈにおいて、修正文書データが生成されると、データ制御部３ｂにおいて、生成された修正文書データをデータ記憶部３ｃに記憶する。
データ記憶部３ｃに記憶された修正文書データの文書画像を、画像投射部３ｉによってスクリーン４上に投射表示すると、修正前は、図７（ａ）に示すように、「プレゼンテーション」の文字が小さくて読み難い状態であったものが、図７（ｃ）に示すように、文字が大きくなり読み易い状態となる。また、従来技術の手法では、投射レンズの拡大倍率を上げることで、スクリーン４上の文字サイズを大きくしているが、本実施の形態のように表示サイズを倍以上にするような場合は、図７（ｂ）に示すように、スクリーン４の表示範囲を超えてスクリーン外に「プレゼンテーション」の文字が表示されてしまうといった不具合が生じる可能性がある。しかし、本発明の手法では、元の文書データ自体を修正して、スクリーン４上の表示範囲を変更せずに文字のサイズを大きくするので、スクリーンに表示する文字サイズを大きくするような修正を行う場合に、表示範囲を超えて表示されてしまうような不具合が発生しないという利点がある。
【００９５】
次に、表示状態判定処理のモードとして、フォントウェイトモードが設定された場合の動作を説明する。
表示状態判定部３ｇは、フォントウェイトモードが設定されていることを確認すると（ステップＳ２１８）、判定用情報記憶部３ｄからフォントウェイトモードに対応した判定用情報を読み出す（ステップＳ２２０）。本実施の形態において、フォントウェイトモードにおける判定用情報は、図８（ａ）に示すように、聴講者席２の最後部からスクリーン４までの距離ｒと、当該距離ｒにおける適正ウェイトとの関係を示すデータテーブルとなる。つまり、距離ｒが上記フォントモードと同様に、１２［ｍ］であるとすると、スクリーン４上に表示された文字の中に、ウェイトが６００未満となるフォントがある場合に、そのフォントは読み難いと判定される。
【００９６】
例えば、文書データ取得部３ａにおいて、図９（ａ）の表示例に示すように、フォント列「プレゼンテーション」を含む文書データを取得したとする。ここで、「プレゼンテーション」のスクリーン４上における各フォントのウェイトは５００であったとする。
上記したように、距離ｒが１２［ｍ］のときの判定用情報における適正ウェイトが６００以上となっているので、「プレゼンテーション」の各文字のフォントウェイト５００を、適正ウェイトが６００と比較すると、これよりも小さいウェイトとなっており、適正ウェイトでは無いと判定し（ステップＳ２２２）、スクリーン４上では読み難いと判定される（ステップＳ２１４）。
【００９７】
上記判定結果に基づき、データ制御部３ｃにおいて、文書データに読み難い部分があると判定されると（ステップＳ１２０）、修正文書データ生成命令を修正文書データ生成部３ｈに伝送し、修正文書データ生成処理へと移行する（ステップＳ１２２）。
修正文書データ生成部３ｈは、修正文書データ生成命令を取得すると、修正文書データ生成処理を開始する。まず、設定されている表示状態判定処理のモードを確認する（ステップＳ３００）。ここでは、フォントウェイトモードが設定されているので（ステップＳ３０２）、フォントウェイトモード用の判定用情報（図８（ａ）のデータテーブル）に基づき、文書データにおける読み難いと判定された部分（フォント）のフォントウェイトを修正する。
【００９８】
つまり、文字データ中の読み難いと判定された部分である「プレゼンテーション」のフォント列における各フォントウェイトを、これらをスクリーン４上に表示したときに、各フォントの表示ウェイトが６００以上となるウェイトに修正した修正文書データを生成する（ステップＳ３０８）。
修正文書データ生成部３ｈにおいて、修正文書データが生成されると、データ制御部３ｂにおいて、生成された修正文書データをデータ記憶部３ｃに記憶する。
【００９９】
データ記憶部３ｃに記憶された修正文書データの文書画像を、画像投射部３ｉによってスクリーン４上に投射表示すると、図９（ｂ）に示すように、修正前の図９（ａ）に示すウェイトよりも大きなウェイトの「プレゼンテーション」の文字がスクリーン４上に表示される。
次に、表示状態判定処理のモードとして、フォント種類モードが設定された場合の動作を説明する。
【０１００】
表示状態判定部３ｇは、フォント種類モードが設定されていることを確認すると（ステップＳ２２４）、判定用情報記憶部３ｄからフォント種類モードに対応した判定用情報を読み出す（ステップＳ２２６）。本実施の形態において、フォント種類モードにおける判定用情報は、図８（ｂ）に示すように、聴講者席２の最後部からスクリーン４までの距離ｒと、当該距離ｒにおける適正フォント種類との関係を示すデータテーブルとなる。つまり、距離ｒが上記フォントモードと同様に、１２［ｍ］であるとすると、スクリーン４上に表示された文字の中にフォント種類がゴシック体以外となるフォント種類がある場合に、そのフォント種類のフォントは読み難いと判定される。
【０１０１】
例えば、文書データ取得部３ａにおいて、図９（ｃ）の表示例に示すように、フォント列「プレゼンテーション」を含む文書データを取得したとする。ここで、「プレゼンテーション」のスクリーン４上における各フォントのフォント種類は行書体であったとする。
上記したように、距離ｒが１２［ｍ］のときの判定用情報における適正フォント種類はゴシック体となっているので、「プレゼンテーション」の各文字のフォント種類である行書体は、適正フォント種類では無いと判定し（ステップＳ２２８）、スクリーン４上では読み難いと判定される（ステップＳ２１４）。
【０１０２】
上記判定結果に基づき、データ制御部３ｃにおいて、文書データに読み難い部分があると判定されると（ステップＳ１１６）、修正文書データ生成命令を修正文書データ生成部３ｈに伝送し、修正文書データ生成処理へと移行する（ステップＳ１１８）。
修正文書データ生成部３ｈは、修正文書データ生成命令を取得すると、修正文書データ生成処理を開始する。まず、設定されている表示状態判定処理のモードを確認する（ステップＳ３００）。ここでは、フォント種類モードが設定されているので（ステップＳ３０２）、フォント種類モード用の判定用情報（図８（ｂ）のデータテーブル）に基づき、文書データにおける読み難いと判定された部分（フォント）のフォント種類を修正する。
【０１０３】
つまり、文字データ中の読み難いと判定された部分である「プレゼンテーション」のフォント列における各フォント種類を、行書体からゴシック体へと修正した修正文書データを生成する（ステップＳ３１４）。
修正文書データ生成部３ｈにおいて、修正文書データが生成されると、データ制御部３ｂにおいて、生成された修正文書データをデータ記憶部３ｃに記憶する。
【０１０４】
データ記憶部３ｃに記憶された修正文書データの文書画像を、画像投射部３ｉによってスクリーン４上に投射表示すると、図９（ｄ）に示すように、修正前の図９（ｃ）に示す読み難い行書体の「プレゼンテーション」が、読み易いゴシック体となってスクリーン４上に表示される。
次に、表示状態判定処理のモードとして、フォントカラーモードが設定された場合の動作を説明する。
【０１０５】
表示状態判定部３ｇは、フォントカラーモードが設定されていることを確認すると（ステップＳ２２４）、判定用情報記憶部３ｄからフォントカラーモードに対応した判定用情報を読み出す（ステップＳ２３０）。本実施の形態において、フォントカラーモードにおける判定用情報は、図８（ｃ）に示すように、聴講者席２の最後部からスクリーン４までの距離ｒと、当該距離ｒにおける文字色とその背景色との適正な組み合わせとの関係を示すデータテーブルとなる。つまり、距離ｒが上記フォントモードと同様に、１２［ｍ］であるとすると、スクリーン４上に表示された文字色とその背景色との組み合わせの中に黄色と青色との組み合わせ以外となるものがある場合に、その組み合わせとなるフォントは読み難いと判定される。
【０１０６】
例えば、文書データ取得部３ａにおいて、図９（ｅ）の表示例に示すように、フォント列「プレゼンテーション」を含む文書データを取得したとする。ここで、「プレゼンテーション」のスクリーン４上における各文字色は灰色でその背景色は白系統の色であったとする。
上記したように、距離ｒが１２［ｍ］のときの判定用情報における適正な組み合わせはフォントカラーが黄色で背景色が青色となっているので、「プレゼンテーション」の各文字のフォント色である灰色とその背景色である白系統の色との組み合わせは、適正な組み合わせでは無いと判定し（ステップＳ２３２）、スクリーン４上では読み難いと判定される（ステップＳ２１４）。
【０１０７】
上記判定結果に基づき、データ制御部３ｃにおいて、文書データに読み難い部分があると判定されると（ステップＳ１１６）、修正文書データ生成命令を修正文書データ生成部３ｈに伝送し、修正文書データ生成処理へと移行する（ステップＳ１１８）。
修正文書データ生成部３ｈは、修正文書データ生成命令を取得すると、修正文書データ生成処理を開始する。まず、設定されている表示状態判定処理のモードを確認する（ステップＳ３００）。ここでは、フォントカラーモードが設定されているので（ステップＳ３１４）、フォントカラーモード用の判定用情報（図８（ｃ）のデータテーブル）に基づき、文書データにおける読み難いと判定された部分（フォント）のフォントカラーとその背景色とを修正する。
【０１０８】
つまり、文字データ中の読み難いと判定された部分である「プレゼンテーション」のフォント列における各フォントカラーを灰色から黄色に修正し、更にその背景色を青系統の色へと修正した修正文書データを生成する（ステップＳ３０４）。
修正文書データ生成部３ｈにおいて、修正文書データが生成されると、データ制御部３ｂにおいて、生成された修正文書データをデータ記憶部３ｃに記憶する。
【０１０９】
データ記憶部３ｃに記憶された修正文書データの文書画像を、画像投射部３ｉによってスクリーン４上に投射表示すると、図９（ｆ）に示すように、修正前の図９（ｅ）に示す読み難い色の組み合わせの「プレゼンテーション」の文字が、読み易い色の組み合わせとなってスクリーン４上に表示される。
このようにして、プレゼンテーションの実施会場における、プロジェクタ３とスクリーン４との距離、聴講者席２の最後部とスクリーン４までの距離等の環境情報と、予め用意された判定用情報とに基づき、文書データによって構成される文書画像の表示内容に、読み難い部分が有るか否を判定し、読み難い部分があると判定された場合は、文書データの該当部分を修正することにより、スクリーン４において読み難くなる部分の修正された修正文書データを生成する。
【０１１０】
上記第１の実施の形態において、文書データ取得部３ａ、データ制御部３ｂ及びデータ記憶部３ｃによる文書データを取得する処理は、発明２の文書データ取得手段に対応し、判定用情報記憶部３ｄは、発明２、１２及び２２のいずれか１の判定用情報記憶手段に対応し、データ制御部３ｂ、データ記憶部３ｃ、距離センサ３ｅ及び投射角度取得部３ｆによる環境情報の取得処理は、発明１、２及び４のいずれか１の環境情報取得手段に対応し、表示状態判定部３ｇは、発明１、２及び７のいずれか１の表示状態判定手段に対応し、修正文書データ生成部３ｈは、発明１、２及び８のいずれか１の修正文書データ生成手段に対応し、データ制御部３ｂ及びデータ記憶部３ｃによる修正文書データの記憶処理は、発明１、２、１１及び１２のいずれか１の修正文書データ記憶手段に対応し、画像投射部３ｉは、発明９の表示手段に対応する。
【０１１１】
また、上記第１の実施の形態において、ステップＳ１００〜ステップＳ１０８は、発明１１、１２、１４、２１、２２及び２４のいずれか１の環境情報取得ステップに対応し、ステップＳ１１０，Ｓ１１２は、発明１２又は２２の文書データ取得ステップに対応し、ステップＳ１１４は、発明１１、１２、１７、２１、２２及び２７のいずれか１の表示状態判定ステップに対応し、ステップＳ１１８は、発明１１、１２、１８、２０、２１、２２及び２８のいずれか１の修正文書データ生成ステップに対応し、ステップＳ１２０は、発明１１又は１２の修正文書データ記憶ステップに対応する。
【０１１２】
〔第２の実施の形態〕
次に、本発明の第２の実施の形態を図面に基づき説明する。図１０〜図２０は、本発明に係るプレゼンテーション支援装置、表示装置、プレゼンテーション支援プログラム、表示装置制御プログラム、プレゼンテーション支援方法及び表示装置制御方法の第２の実施の形態を示す図である。
【０１１３】
本実施の形態は、本発明に係るプレゼンテーション支援装置、表示装置、プレゼンテーション支援プログラム、表示装置制御プログラム、プレゼンテーション支援方法及び表示装置制御方法を、文書データによって構成される文書画像を表示部に表示し、当該表示結果を利用して、発表者が聴講者に対してプレゼンテーションを行うプレゼンテーションシステムに適用したものである。上記第１の実施の形態と異なるのは、スクリーン４に画像を光投射する機能と、修正文書データを生成する機能とがそれぞれ別々の装置で構成されている点と、修正文書データによる文書画像の表示内容がスクリーン４の表示範囲に表示しきれないものとなった場合の切替処表示機能を有している点と、複数の環境情報を考慮して表示内容に読み難い部分があるか否かを判定する点にある。以下、上記第１の実施の形態と異なる部分についてのみ説明し、重複する部分については同一の符号を付して説明を省略する。
【０１１４】
まず、本発明に係るプレゼンテーションシステム２００の概観構成を図１０に基づき説明する。図１０は、本発明に係るプレゼンテーションシステム２００の概観構成を示す図である。
プレゼンテーションシステム２００は、図１０に示すように、プレゼンテーションを行う会場となる建物１と、プレゼンテーションを聴講する聴講者の座席である聴講者席２と、文書データによって構成される文書画像をスクリーン４に投射するプロジェクタ５と、投射結果の文書画像に聴講者席２から見て読み難い部分があった場合に、当該読み難い部分を修正した修正文書データを生成するプレゼンテーション支援装置６と、プロジェクタ５から光投射された画像を表示するスクリーン４とを含んだ構成となっている。
【０１１５】
更に、図１１に基づき、プロジェクタ５の詳細な構成を説明する。図１１は、プロジェクタ５の詳細構成を示す図である。
プロジェクタ５は、図１１に示すように、画像信号受信部５ａと、データ制御部５ｂと、データ記憶部５ｃと、画像投射部５ｄとを含んだ構成となっている。
画像信号受信部５ａは、プレゼンテーション支援装置６の画像３ｋによって表示された文書画像と同じ画像の画像信号を通信ケーブルを介して取得する機能を有している。
【０１１６】
データ制御部５ｂは、画像信号受信部５ａにおいて取得した画像信号のデータをデータ記憶部５ｃに記憶したり、画像信号受信部５ａを介して受信した画像信号を画像投射部５ｄに伝送したり、各構成要素間のデータの授受を制御したりするなど、プロジェクタ５におけるデータの流れを統括制御する機能を有している。
データ記憶部５ｃは、文書画像データ等の各種データを記憶する機能を有している。
【０１１７】
画像投射部５ｄは、データ制御部５ｂからの画像信号に基づき、公知の液晶プロジェクタと同様の原理によって、当該画像信号によって構成される画像をスクリーン４に光投射する機能を有している。つまり、画像信号受信部５ａで受信した画像信号に基づいて画像を表示するので、プレゼンテーション支援装置６の画像表示部３ｋの表示内容と同じ文書画像が略タイムラグ無しでスクリーン４に表示されることになる。
【０１１８】
ここで、プロジェクタ５は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【０１１９】
更に、図１２に基づき、プレゼンテーション支援装置６の詳細な構成を説明する。図１２は、プレゼンテーション支援装置６の詳細構成を示すブロック図である。
プレゼンテーション支援装置６は、図１２に示すように、文書データを取得する文書データ取得部３ａと、各構成要素間のデータの授受を制御したり、文書画像のスクリーン４における表示サイズを算出したりするデータ制御部３ｂと、文書データ取得部３ａにおいて取得された文書データや、各処理に必要なデータを記憶するデータ記憶部３ｃと、文書画像の表示内容に読み難い部分があるか否かを判定するための判定用情報を記憶する判定用情報記憶部３ｄと、プロジェクタ３本体とスクリーン４との間の距離と、プロジェクタ３本体と聴講者席との間の距離とを測定可能な距離センサ３ｅと、投射光のスクリーン４への投射角度を取得する投射角度取得部３ｆと、文書画像の表示内容に読み難い部分があるか否かを判定する表示状態判定部３ｇと、当該表示状態判定部３ｇにおいて、文書画像の表示内容に読み難い部分があると判定された場合に、前記読み難い部分を修正した修正文書データを生成する修正文書データ生成手段と、表示状態判定処理のモード設定等を行うための操作部３ｊと、文書データに基づき文書画像を表示する画像表示部３ｋと、スクリーン４に光投射された文書画像を撮影するデジタルカメラ３ｌとを含んだ構成となっている。
【０１２０】
判定用情報記憶部３ｄは、文書画像の表示内容に読み難い部分があるか否かを判定するための判定用情報を記憶する機能を有している。本実施の形態において、判定用情報としては、聴講者席２からスクリーン４の表示内容を見たときの適正な視角情報が記憶されており、更に、実施会場において取得される環境情報に基づいて判定用情報である適正視角を補正するための、フォントウェイトとその補正係数との関係を示すテーブル、フォント種類とその補正係数との関係を示すテーブル、並びに、フォントカラー及びその背景色の組み合わせとその補正係数との関係を示すテーブルを含んでなる補正係数テーブルが記憶されている。つまり、実施会場で取得できるスクリーン４に投射表示された文書画像の表示内容に対する、フォントウェイト、フォント種類並びにフォントカラー及びその背景色の組み合わせの情報から、これらの情報が適正視角に対して与える影響を考慮するために、各情報にそれぞれ設定された係数により適正視角に重み付けを行う。
【０１２１】
距離センサ３ｅは、距離を計測するセンサであり、赤外半導体レーザを光源とした本体をプロジェクタ５に装着し、反射部をスクリーン４及び聴講者席２にそれぞれ配設して、プロジェクタ５本体とスクリーン４との間の距離と、プロジェクタ５本体と聴講者席（反射位置を任意に設定可能）との間の距離を測定する機能を有している。測定された距離の情報は、通信ケーブルを介してプレゼンテーション支援装置６に伝送される。
【０１２２】
投射角度取得部３ｆは、投射角度調整機能を有し、投射角度を検出する角度センサを具備するプロジェクタ用のチルトスタンドを含む構成となっており、角度センサの検出値から、プロジェクタ５のスクリーン４への投射角度を取得する。つまり、チルトスタンドのプロジェクタ設置面にプロジェクタ５を載置固定し、チルトスタンドの投射角度調節機構によりプロジェクタ５のスクリーン４への投射角度を調整する。
【０１２３】
画像表示部３ｋは、液晶等の表示部と、文書データ等の画像データを画像信号に変換し、当該画像信号を表示部に供給して画像を表示させる表示処理部とを含んだ構成となっている。表示部に供給する画像信号は、通信ケーブルを介してプロジェクタ５にも供給される。
デジタルカメラ３ｌは、プロジェクタ５の投射レンズ近傍に配設することで、スクリーン４に投射された画像を撮影して、当該撮影画像をデジタルデータとして取得する。取得された画像データは、通信ケーブルを介してプレゼンテーション支援装置６に伝送される。
【０１２４】
ここで、プレゼンテーション支援装置６は、図示しない、プロセッサと、ＲＡＭ（Random Access Memory）と、専用のプログラムの記憶されたＲＯＭ（Read Only Memory）とを備えており、プロセッサにより専用のプログラムを実行することにより上記各部の機能を果たす。また、上記各部は、専用のプログラムのみでその機能を果たすもの、専用のプログラムによりハードウェアを制御してその機能を果たすもの等が混在している。
【０１２５】
更に、プレゼンテーション支援装置６は、ＣＰＵによって、ＲＯＭの所定領域に格納されている所定のプログラムを起動させ、そのプログラムに従って、図１３のフローチャートに示す修正文書データ生成処理を実行するようになっている。
図１３は、プレゼンテーション支援装置６における修正文書データ生成処理を示すフローチャートである。
【０１２６】
修正文書データ生成処理は、ＣＰＵによって実行されると、図１３に示すように、まず、ステップＳ４００に移行するようになっている。ここで、ステップＳ４００〜ステップＳ４１２の処理は、上記第１の実施の形態における、図３のフローチャートのステップＳ１００〜ステップＳ１１２と同様の処理となるので説明を省略する。
ステップＳ４１４では、ステップＳ４１０で取得した文書データを、画像表示部３ｋによって画像信号に変換すると共に、当該画像信号を通信ケーブルを介してプロジェクタ５に送信してステップＳ４１６に移行する。
【０１２７】
ステップＳ４１６では、データ制御部３ｂにおいて、画像表示部３ｋを介してプロジェクタ５において文書画像が投射されたか否かを判定し、投射されたと判定された場合(Yes)は、ステップＳ４１８に移行し、そうでない場合(No)は投射されるまで待機する。
ステップＳ４１８に移行した場合は、データ制御部３ｂにおいて、デジタルカメラ３ｌにスクリーン４に表示された文書画像を撮影させると共に、当該撮影された画像データを取得してステップＳ４２０に移行する。
【０１２８】
ステップＳ４２０では、データ制御部３ｂにおいて、ステップＳ４１８で取得した画像データを解析してステップＳ４２６に移行する。
ステップＳ４２２では、データ制御部３ｂにおいて、ステップＳ４２０の解析結果に基づき、表示画像中の文字のウェイト、文字の種類及び文字色とその背景色の情報を含む文字情報を取得してステップＳ４２４に移行する。
【０１２９】
ステップＳ４２４では、データ制御部３ｂにおいて、ステップＳ４２２で取得した文字情報を環境情報として、データ記憶部３ｃに記憶してステップＳ４２６に移行する。
ステップＳ４２６では、表示状態判定部３ｇにおいて、データ制御部３ｂからの判定処理開始命令に応じて、上記取得した文書データによって構成される文書画像において、そのスクリーン４への表示内容に読み難い部分があるか否かを判定する処理を行いステップＳ４２８に移行する。
【０１３０】
ステップＳ４２８では、データ制御部３ｂにおいて、表示状態判定部３ｇの判定結果に基づき、表示内容に読み難い部分があったか否かを判定し、読み難い部分があったと判定された場合(Yes)はステップＳ４３０に移行し、そうでない場合(No)はステップＳ４１０に移行する。
ステップＳ４３０に移行した場合は、データ制御部３ｂからの修正文書データ生成命令に応じて、修正文書データ生成部３ｈにおいて、上記取得した文書データを加工して、修正文書データを生成しステップＳ４３２に移行する。
【０１３１】
ステップＳ４３２では、データ制御部３ｂにおいて、ステップＳ４３０で生成した修正文書データをデータ記憶部３ｃに記憶してステップＳ４１０に移行する。
次に、図１４に基づき、ステップＳ４２６の表示状態判定処理を詳細に説明する。
図１４は、プレゼンテーション支援装置６における、表示状態判定処理を示すフローチャートである。ここで、本実施の形態においては、表示状態判定処理のモードとして、上記第１の実施の形態におけるフォントサイズモードを改良したものが用いられる。
【０１３２】
表示状態判定処理は、文書データ、環境情報及び判定用情報に基づき、文書データによって構成される文書画像の表示内容に、読み難い部分があるか否かを判定する処理であって、ステップＳ４２６において実行されると、図１４に示すように、まず、ステップＳ５００に移行するようになっている。
ステップＳ５００では、表示状態判定部３ｇにおいて、データ制御部３ｂを介してデータ記憶部３ｃから文書データを読み出してステップＳ５００に移行する。
【０１３３】
ステップＳ５０２では、表示状態判定部３ｇにおいて、データ制御部３ｂを介してデータ記憶部３ｃから環境情報を読み出しステップＳ５０４に移行する。
ステップＳ５０４では、表示状態判定部３ｇにおいて、データ制御部３ｂを介して判定用情報記憶部３ｄから適正視角情報を読み出すと共に、環境情報に対応した係数を補正係数テーブルから読み出してステップＳ５０６に移行する。
【０１３４】
ステップＳ５０６では、表示状態判定部３ｇにおいて、補正係数テーブルから読み出した補正係数により、適正視角情報を補正してステップＳ５０８に移行する。
ステップＳ５０８では、表示状態判定部３ｇにおいて、ステップＳ５００で読み出した文書データに対して、ステップＳ５０２で読み出した環境情報及びステップＳ５０６で補正された適正視角情報に基づき、当該文書データによって構成される文書画像をスクリーン４に投射表示した場合に、その表示内容に含まれるフォント（文字）のサイズは適切か否かを判定し、適切であると判定された場合(Yes)はステップＳ５１０に移行し、そうでない場合(No)はステップＳ５１２に移行する。
【０１３５】
ステップＳ５１０に移行した場合は、表示情報判定部３ｇにおいて、文書データには、読み難い部分が無いと判定し、当該判定結果をデータ制御部３ｂに伝送して処理を終了する。
一方、ステップＳ５１２に移行した場合は、表示情報判定部３ｇにおいて、文書データには、読み難い部分があると判定し、当該判定結果をデータ制御部３ｂに伝送して処理を終了する。
【０１３６】
次に、図１５に基づき、ステップＳ４３０の修正文書データ生成処理を詳細に説明する。
図１５は、プレゼンテーション支援装置６における、修正文書データ生成処理を示すフローチャートである。
修正文書データ生成処理は、文書データにおける読み難い部分のデータ及び判定用情報に基づき、文書データを加工して、読み難い部分を修正した修正文書データを生成する処理であって、ステップＳ４３０において実行されると、図１５に示すように、まず、ステップＳ６００に移行するようになっている。
【０１３７】
ステップＳ６００では、修正文書データ生成部３ｈにおいて、文書データ中の読み難い部分のデータ及び改良型フォントサイズモードに対応した補正済みの判定用情報に基づき、文書データ中の読み難い部分のフォントサイズを適正フォントサイズに修正した修正文書データを生成してステップＳ６０２に移行する。
ステップＳ６０２では、修正文書データ生成部３ｈにおいて、ステップＳ６００で生成された修正文書データの文書画像は、１画面に表示しきれるか否かを判定し、表示しきれると判定された場合(Yes)はステップＳ６０４に移行し、そうでない場合(No)は処理を終了する。
【０１３８】
ステップＳ６０４に移行した場合は、修正文書データ生成部３ｈにおいて、文書データの表示内容を各分割ブロックが１画面に表示しきれるように複数のブロックに分割してステップＳ６０６に移行する。
ステップＳ６０６では、修正文書データ生成部３ｈにおいて、ステップＳ６０４の分割内容に基づき、操作部３ｊの操作によって、各分割ブロックの画像（以下、分割文書画像と称す）を切替表示可能にした切替表示用の修正文書データを生成して処理を終了する。
【０１３９】
次に、図１６に基づき、プレゼンテーション支援装置６における、文書画像の切替表示処理を詳細に説明する。
図１６は、プレゼンテーション支援装置６における、文書画像の切替表示処理を示すフローチャートである。
切替表示処理は、修正文書データの文書画像が１画面に表示しきれないときに生成される切替表示用の修正文書データの分割文書画像を、操作部３ｊの操作により、スクリーン４に切り替えて表示する処理であって、ＣＰＵによって実行されると、図１６に示すように、まず、ステップＳ７００に移行するようになっている。
【０１４０】
ステップＳ７００では、データ制御部３ｂにおいて、切替表示用の修正文書データによって構成される文書画像の表示処理が実行されたか否かを判定し、実行されたと判定された場合(Yes)はステップＳ７０２に移行し、そうでない場合(No)は切替表示用の修正文書データの文書画像が表示されるまで待機する。
ステップＳ７０２に移行した場合は、データ制御部３ｂにおいて、操作部３ｊを介してユーザからの切替指示があったか否かを判定し、切替指示があったと判定された場合(Yes)はステップＳ７０４に移行し、そうでない場合(No)はステップＳ７０６に移行する。
【０１４１】
ステップＳ７０４に移行した場合は、画像表示部３ｋにおいて、切替指示内容に応じて分割文書画像を切り替えてステップＳ７０６に移行する。
ステップＳ７０６では、データ制御部３ｂにおいて、切替表示用の修正文書データによって構成される文書画像の表示処理が終了したか否かを判定し、終了したと判定された場合(Yes)はステップＳ７００に移行し、そうでない場合(No)はステップＳ７０２に移行する。
【０１４２】
次に、図１７〜図２０に基づき、本実施の形態の動作を説明する。
ここで、図１７（ａ）〜（ｃ）は、補正用係数の一例を示す図である。また、図１８（ａ）及び（ｂ）は、修正文書画像が１画面に表示しきれない場合の一例を示す図である。また、図１９（ａ）及び（ｂ）は、文書画像の分割例を示す図であり、図２０（ａ）〜（ｄ）は、切替表示用の修正文書データによる表示結果の一例を示す図である。
【０１４３】
なお、プレゼンテーション支援装置６が起動して、文書データを取得するまでの動作は、上記第１の実施の形態におけるプロジェクタ３と同様の動作となるので説明を省略する。
文書データ取得部３ａを介して文書データが取得されると（ステップＳ４１０）、当該取得した文書データをデータ記憶部３ｃに記憶して（ステップＳ４１２）、当該記憶した文書データの文書画像投射処理へと移行する。
【０１４４】
文書画像の表示処理は、画像表示部３ｋにおいて行われ、データ制御部３ｂを介してデータ記憶部３ｃに記憶された文書データを読み出し、当該読み出した文書データから画像信号を生成して表示部に文書画像を表示すると共に、通信ケーブルを介して画像信号をプロジェクタ５に送信する（ステップＳ４１４）。
そして、データ制御部３ｂは、プロジェクタ５からの応答によって、スクリーン４に文書画像が投射表示されたことを確認すると（ステップＳ４１６）、デジタルカメラ３ｌによって、スクリーン４上に拡大投射表示された文書画像を撮影する（ステップＳ４１８）。更に、データ制御部３ｂは、撮影された文書画像を解析して（ステップＳ４２０）、当該文書画像に含まれる文字のウェイト、文字の種類、並びに文字色及びその背景色等の情報を含む文字情報を取得し（ステップＳ４２２）、当該取得した文字情報をデータ記憶部３ｃに記憶する（ステップＳ４２４）。文字情報が記憶されると、表示状態判定処理へと移行する（ステップＳ４２６）。
【０１４５】
表示状態判定処理においては、表示状態判定部３ｇにおいて、まず、データ記憶部３ｃから文書データ及び環境情報が読み出され（ステップＳ５００，Ｓ５０２）、更に、判定用情報記憶部３ｄから判定用情報が読み出されると共に、ステップＳ５０２で読み出した環境情報における文字情報に対応した補正係数が補正係数テーブルから読み出される（ステップＳ５０４）。ここで、補正係数テーブルは、判定用情報記憶部３ｄに記憶されており、図１７（ａ）〜（ｃ）に示すように、フォントウェイト、フォント種類、並びにフォント色及びその背景色の組み合わせに対して設定されている。本実施の形態において、判定用情報は、上記第１の実施の形態と同様で、適正視角（０．４［°］）であり、その他の、文字情報以外の環境情報も上記第１の実施の形態と同様の数値であるとする。
【０１４６】
判定用情報及び補正係数が読み出されると、下式（５）に従って、判定用情報の補正処理が行われる。
ｃｓ＝ｒｓ×Ｅｗ×Ｅｆ×Ｅｃ                                        ・・・（５）
但し、ｃｓは補正後の判定用情報、ｒｓは判定用情報、Ｅｗはフォントウェイトに対応した補正係数、Ｅｆはフォント種類に対応した補正係数、Ｅｃは、フォントカラー及びその背景色の組み合わせに対応した補正係数とする。
【０１４７】
従って、適正視角は０．４であるので「ｒｓ＝０．４」となる。例えば、文書データ取得部３ａにおいて、図１８（ａ）に示す、フォント列「スライドタイトル」を含む文書データが取得され、且つ当該文書データの画像の撮影画像から文字情報として、フォントウェイト「４００」、フォント種類「明朝体」、フォントカラー及びその背景色との組み合わせ「赤と青」が取得された場合に、図１７（ａ）〜（ｃ）より、「Ｅｗ＝１．０」、「Ｅｆ＝１．１」、「Ｅｃ＝１．５」となり、これらの数値を上式（５）に代入すると、補正後の適正視角ｃｓは下式（６）のように算出される。
ｃｓ＝０．４×１．０×１．１×１．５＝０．６６                      ・・・（６）
上式（６）により、ｃｓが「０．６６」と算出されると、次に、ｃｓを用いた表示状態判定処理が開始される。つまり、文書データの中に、適正視角０．６６［°］未満となるフォントがあった場合に、そのフォントは読み難いと判定される。
【０１４８】
例えば、図１８（ａ）に示す、フォント列「スライドタイトル」を含む文書データにおける、「スライドタイトル」の各フォントのフォントサイズは５１［ポイント］であるとし、それ以外の「○」で示されたフォント列のフォントサイズは１２［ポイント］であるとする。
この場合は、「スライドタイトル」の各フォントに対する視角ｓが０．６６［°］となり、それ以外の「○」で示された各フォントの視角ｓは、上記第１の実施の形態と同様に、０．１６［°］となるので、これらを適正視角である０．６６［°］と比較すると、「○」で示された各フォントの視角ｓは、適正視角よりも小さい角度となっており、表示状態判定部３ｇにおいて、「○」のフォントサイズ（１２ポイント）は適正サイズでは無いと判定され（ステップＳ５０８）、この判定結果より、「○」の部分はスクリーン４上では読み難い部分であると判定される（ステップＳ５１０）。
【０１４９】
上記判定結果に基づき、データ制御部３ｃにおいて、文書データに読み難い部分があると判定され（ステップＳ４２８）、修正文書データ生成命令を修正文書データ生成部３ｈに伝送し、修正文書データ生成処理へと移行する（ステップＳ４３０）。
修正文書データ生成部３ｈは、修正文書データ生成命令を取得すると、修正文書データ生成処理を開始する。ここでは、上記補正後の適正視角ｃｓ（０．６６［°］）に基づき、文書データにおける読み難いと判定された部分（フォント）のフォントサイズを修正する。ここで、修正文書データ生成処理において、補正後の適正視角ｃｓは、上記第１の実施の形態における適正視角ｓと同じ扱いとなるので、以降は適正視角ｓとして説明を行う。
【０１５０】
フォントサイズの修正処理は、聴講者席２の最後部からスクリーン４までの距離ｒが１２［ｍ］であり、且つ適正視角ｓが０．６６［°］となっているので、これらを上記第１の実施の形態における、上式（４）に代入することで、距離ｒが１２［ｍ］のときに、視角ｓが０．６６［°］となる文字サイズｘ＝０．１４［ｍ］が算出できる。これにより、視角ｓを０．６６［°］以上とするには、文字データ中の読み難いと判定された部分である「○」のフォント列における各フォントサイズを、これらをスクリーン４上に表示したときに、各フォントの表示サイズｘが０．１４［ｍ］以上となるサイズに修正すれば良いことになる。
【０１５１】
従って、ｘ＝０．１４を上式（３）に代入して、表示サイズｘが０．１４［ｍ］となるときのフォントサイズｎ＝５０．４［ポイント］を求める。これにより、視角０．６６［°］以上とするには、「○」の各フォントのサイズを５０．４［ポイント］以上にすれば良いので、ここでは、元のフォントサイズ１２［ポイント］を、５１［ポイント］へと修正した修正文書データを生成する（ステップＳ６００）。
【０１５２】
更に、修正文書データ生成部３ｈは、修正文書データの文書画像が、１画面内（スクリーン４上の表示範囲内）に表示しきれる否かを判定する（ステップＳ６０２）。例えば、図１８（ｂ）に示すように、図１８（ａ）の「○」の部分のフォントサイズを大きくした結果、文書画像が１画面内に表示しきれないような場合は、１画面に表示しきれる複数のブロックに文書データを分割する処理を行う（ステップＳ６０４）。本実施の形態においては、図１９（ａ）及び（ｂ）に示すように、図１８（ｂ）の文書画像を、２つのブロックに分割する。なお、分割処理は、一方のブロックが他方のブロックの文字を含まないように分割を行う。そして、分割後の文書データを、切替表示可能に加工して切替表示用の修正文書データを生成する（ステップＳ６０６）。
【０１５３】
修正文書データ生成部３ｈにおいて、修正文書データ（切替表示用の修正文書データを含む）が生成されると、データ制御部３ｂにおいて、生成された修正文書データをデータ記憶部３ｃに記憶する（ステップＳ４３２）。
データ記憶部３ｃに記憶された切替表示用の修正文書データの文書画像を、画像投射部３ｉによってスクリーン４上に投射表示すると、図２０（ｂ）に示す画像が表示される。
【０１５４】
スクリーン４上に表示された図２０（ｂ）の画像は、図２０（ａ）に示すように、元の文書画像の上半分（図中網掛け部分）であり、本実施の形態においては、この文書画像の右端に表示されたスクロールバー（網掛け部分）によって、画像に続きがあることが示される。このスクロールバーは、上側に表示されている場合に、下側に続きがあることを示し、ユーザによる操作部３ｊの操作により、スクロールバーが下に移動することによって切替指示が発生し（ステップＳ７０２）、図２０（ｄ）に示す文書画像の続きである下側部分（図２０（ｃ）の網掛け部分）が切り替わって表示される（ステップＳ７０４）。一方、図２０（ｄ）の状態で、ユーザによる操作部３ｊの操作により、スクロールバーが上に移動すると切替指示が発生し（ステップＳ７０２）、図２０（ｂ）に示す文書画像の上側部分が切り替わって表示される（ステップＳ７０４）。つまり、スクリーン４上には、修正前は、図１８（ａ）に示すように、「○」の文字が小さくて読み難い状態であったものが、図２０（ｂ）及び（ｄ）に示す２つの画像の切替表示によって、「○」の文字が大きくなり読み易い状態となった状態で表示される。
【０１５５】
このようにして、プレゼンテーションの実施会場における、スクリーン４に表示された文書画像における、フォントウェイト、フォント種類、並びにフォントカラー及びその背景色を含む文字情報と、予め用意された判定用情報とに基づき、当該判定用情報を補正し、当該補正された判定用情報に基づき、文書データによって構成される文書画像の表示内容に、読み難い部分が有るか否を判定し、読み難い部分があると判定された場合は、文書データの該当部分を修正することにより、スクリーン４において読み難くなる部分の修正された修正文書データを生成する。
【０１５６】
また、修正文書データによって構成される文書画像が、１画面内に表示しきれない場合は、文書画像を複数のブロックに分割し、ユーザの操作部３ｊの操作によって、分割文書画像を切替表示することが可能な切替表示用の修正文書データを生成する。
上記第２の実施の形態において、文書データ取得部３ａ、データ制御部３ｂ及びデータ記憶部３ｃによる文書データを取得する処理は、発明２の文書データ取得手段に対応し、判定用情報記憶部３ｄは、発明２、１２及び２２のいずれか１の判定用情報記憶手段に対応し、データ制御部３ｂ、データ記憶部３ｃ、距離センサ３ｅ、投射角度取得部３ｆ及びデジタルカメラ３ｌによる環境情報の取得処理は、発明１、２、４及び７のいずれか１の環境情報取得手段に対応し、表示状態判定部３ｇは、発明１、２及び７のいずれか１の表示状態判定手段に対応し、修正文書データ生成部３ｈは、発明１、２、８及び１０のいずれか１の修正文書データ生成手段に対応し、データ制御部３ｂ及びデータ記憶部３ｃによる修正文書データの記憶処理は、発明１、２、１１及び１２のいずれか１の修正文書データ記憶手段に対応し、操作部３ｊからの指示に応じてデータ制御部３ｂ及び画像表示部３ｋによって行われる文書画像の切替表示処理は、発明１０の切替表示手段に対応する。
【０１５７】
また、上記第２の実施の形態において、ステップＳ４００〜ステップＳ４０８、ステップＳ４１８〜ステップＳ４２４は、発明１１、１２、１４、１７、２１、２２、２４及び２７のいずれか１の環境情報取得ステップに対応し、ステップＳ４１０，Ｓ４１２は、発明１２又は２２の文書データ取得ステップに対応し、ステップＳ４２６は、発明１１、１２、１７、２１、２２及び２７のいずれか１の表示状態判定ステップに対応し、ステップＳ４３０は、発明１１、１２、１８、２０、２１、２２、２８及び３０のいずれか１の修正文書データ生成ステップに対応し、ステップＳ４３２は、発明１１又は１２の修正文書データ記憶ステップに対応する。
【０１５８】
なお、上記実施の形態においては、投射角度取得部３ｆによって、プロジェクタの投射角度を取得し、当該取得した投射角度と、表示サイズ測定用文書データとに基づき、表示サイズ測定用文書データの画像とスクリーン４に表示される画像とのサイズ比率を算出するようにしたが、これに限らず、デジタルカメラやデジタルビデオカメラ等により、スクリーンに表示された画像を撮影し、当該撮影画像に基づきサイズ比率を算出するようにしても良い。
【０１５９】
以下、図２１に基づき、撮影画像に基づいてサイズ比率を算出する方法の一例を説明する。ここで、図２１は、サイズ比率を算出するためのプロジェクタの画像表示構成の一例を示す図である。
例えば、スクリーン面に対して９０［°］の投射角度で画像を投射し(９０［°］以外の場合も台形になった取得画像から計算することが可能）、当該投射した画像をデジタルカメラで撮影して、当該撮影画像から表示サイズ測定用文書データの画像とスクリーンに表示される画像とのサイズ比率を算出する例を説明する。但し、垂直方向のサイズについてのみ説明する。
【０１６０】
カメラが撮影できる角度(撮影領域全体の角度)をθとすると（θは既知であるとする）、距離センサから得た距離がｒの時、カメラの撮影している領域の垂直方向のサイズは、次式（７）で表すことができる。ここで、θは、プロジェクタの投写できる角度より大きなものとする。
２×ｒ×ｔａｎ（θ／２）                                            ・・・（７）
図２１に示すように、スクリーンに対して、表示サイズ測定用の枠（図２１中３００）と、プロジェクタから投射された画像の表示領域（図２１中４００）と、カメラの撮影領域（図２１中５００）とを設定したとする。画像処理などにより、カメラの撮影画像から表示サイズ測定用の枠３００を検出して、カメラの撮影領域５００に対する割合を算出する。
【０１６１】
ここで、カメラの撮影画像から表示サイズ測定用の枠３００を画像解析により切り出し、撮影領域５００の垂直方向のサイズをｘ［ドット］、表示サイズ測定用の枠３００の垂直方向のサイズをｘ’［ドット］とする。
また、表示サイズ測定用の枠３００に囲まれた領域と、投写画像の表示領域４００との長さの比は、予め決まっているものとする。ここでは、０．８とする。例えば、投写画像の表示領域４００が垂直方向に４８０ドットの解像度の画像を投写するものとしたとき、表示サイズ測定用の枠３００で囲まれた領域は垂直方向に３８４ドットの大きさで投写されることとなる。
【０１６２】
以上より、測定用枠が投写された実際のサイズは次式（８）で求められる。
｛２×ｒ×ｔａｎ（θ／２）｝×ｘ'／ｘ                              ・・・（８）
また、表示領域と測定用枠との長さの比から、表示領域の大きさは、次式（９）のようになる。
｛２×ｒ×ｔａｎ（θ／２）｝×ｘ'／（０．８×ｘ）                  ・・・（９）
従って、距離センサによってｒを測定し、撮影画像からｘ及びｘ’が解れば、上式（９）に従い、投写画像の表示領域４００のサイズを求めることができる。
【０１６３】
また、上記第１の実施の形態において、フォントサイズモード、フォントウェイトモード、フォント種類モード、フォントカラーモード等の各モード設定により、フォントサイズのみ、フォントウェイトのみといった、１つの特徴部分に着目して読み難い部分があるか否かの判定を行うようにしているが、これに限らず、フォントサイズ、フォントウェイト、フォント種類といった特徴を複数組み合わせて読み難い部分があるか否かを判定するようにしても良い。
【０１６４】
また、上記第２の実施の形態において、スクリーン４に表示された文書画像に含まれる、文字のウェイト、文字の種類、並びに文字色及びその背景色等の情報を、撮影画像を解析することで求めるようにしたが、これに限らず、文書画像に対応する元の文書データを解析して求めるようにしても良い。
また、上記第２の実施の形態において、フォントカラーとその背景色とに対する補正係数に、図１７（ｃ）に示すような数値を設定したが、これに限らず、上記特許文献１における分解能と基準値との比を用いても良い。
【０１６５】
また、上記実施の形態において、図３〜５、及び図１３〜１６のフローチャートに示す処理を実行するにあたっては、ＲＯＭにあらかじめ格納されている制御プログラムを実行する場合について説明したが、これに限らず、これらの手順を示したプログラムが記憶された記憶媒体から、そのプログラムをＲＡＭに読み込んで実行するようにしてもよい。
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【図面の簡単な説明】
【０１６６】
【図１】本発明に係るプレゼンテーションシステム１００の概観構成を示す図である。
【図２】プロジェクタ３の詳細構成を示すブロック図である。
【図３】プロジェクタ３における修正文書データ生成処理を示すフローチャートである。
【図４】プロジェクタ３における、表示状態判定処理を示すフローチャートである。
【図５】プロジェクタ３における、修正文書データ生成処理を示すフローチャートである。
【図６】プレゼンテーションシステム１００において、プロジェクタ３を横側から見た場合の、環境情報の一例を示す図である。
【図７】（ａ）は、修正前の文書画像の表示例を示す図であり、（ｂ）は、修正前の文書画像を通常より拡大して投射した場合の表示例を示す図であり、（ｃ）は、修正後の文書データによる文書画像の表示例を示す図である。
【図８】（ａ）は、フォントウェイトモードに対応する判定用情報の一例を示す図であり、（ｂ）は、フォント種類モードに対応する判定用情報の一例を示す図であり、（ｃ）は、フォントカラーモードに対応する判定用情報の一例を示す図である。
【図９】（ａ）及び（ｂ）は、フォントウェイトモードにおける修正前及び修正後の文書画像の表示例を示す図であり、（ｂ）は、フォント種類モードにおける修正前及び修正後の文書画像の表示例を示す図であり、（ｃ）は、フォントカラーモードにおける修正前及び修正後の文書画像の表示例を示す図である。
【図１０】本発明に係るプレゼンテーションシステム２００の概観構成を示す図である。
【図１１】プロジェクタ５の詳細構成を示す図である。
【図１２】プレゼンテーション支援装置６の詳細構成を示すブロック図である。
【図１３】プレゼンテーション支援装置６における修正文書データ生成処理を示すフローチャートである。
【図１４】プレゼンテーション支援装置６における、表示状態判定処理を示すフローチャートである。
【図１５】プレゼンテーション支援装置６における、修正文書データ生成処理を示すフローチャートである。
【図１６】プレゼンテーション支援装置６における、文書画像の切替表示処理を示すフローチャートである。
【図１７】（ａ）〜（ｃ）は、補正用係数の一例を示す図である。
【図１８】（ａ）及び（ｂ）は、修正文書画像が１画面に表示しきれない場合の一例を示す図である。
【図１９】（ａ）及び（ｂ）は、文書画像の分割例を示す図である。
【図２０】（ａ）〜（ｄ）は、切替表示用の修正文書データによる表示結果の一例を示す図である。
【図２１】サイズ比率を算出するためのプロジェクタの画像表示構成の一例を示す図である。
【符号の説明】
【０１６７】
１００，２００…プレゼンテーションシステム，  １…建物，  ２…聴講者席，  ３…プロジェクタ，  ３ａ…文書データ取得部，  ３ｂ…データ制御部，  ３ｃ…データ記憶部，  ３ｄ…判定用情報記憶部，  ３ｅ…距離センサ，  ３ｆ…投射角度取得部，  ３ｇ…表示状態判定部，  ３ｈ…修正文書データ生成部，  ３ｉ…画像投射部，  ３ｊ…操作部，  ３ｋ…画像表示部，  ４…スクリーン，  ５…プロジェクタ，  ６…プレゼンテーション支援装置，  ３００…表示サイズ測定用の枠，  ４００…プロジェクタから投射された画像の表示領域，  ５００…カメラの撮影領域
【図１】
2006106459.tif 000003
【図２】
2006106459.tif 000004
【図３】
2006106459.tif 000005
【図４】
2006106459.tif 000006
【図５】
2006106459.tif 000007
【図６】
2006106459.tif 000008
【図７】
2006106459.tif 000009
【図８】
2006106459.tif 000010
【図９】
2006106459.tif 000011
【図１０】
2006106459.tif 000012
【図１１】
2006106459.tif 000013
【図１２】
2006106459.tif 000014
【図１３】
2006106459.tif 000015
【図１４】
2006106459.tif 000016
【図１５】
2006106459.tif 000017
【図１６】
2006106459.tif 000018
【図１７】
2006106459.tif 000019
【図１８】
2006106459.tif 000020
【図１９】
2006106459.tif 000021
【図２０】
2006106459.tif 000022
【図２１】
2006106459.tif 000023